(57)【要約】【課題】半田こてのユーザの利便性を向上させる。【解決手段】端末装置制御プログラムは、無線通信機能を有する携行可能な端末装置（例えば、スマートデバイス１２）を制御するプログラムであって、無線通信機能を有する測定装置（例えば、温度計５０）から無線通信を用いて通知された、前記測定装置が測定した所定のデータ（例えば、こて先温度）を前記端末装置に受信させる第１ステップを、前記端末装置のコンピュータに実行させ、前記所定のデータは、半田こて（例えば、ハンドル２４、カートリッジ２６）を用いて電子部品に所定の処置をしたときに、所定の処置の結果に影響するデータを含み、さらに、前記所定のデータを記録するための処理を前記端末装置に実行させる第２ステップを端末装置の前記コンピュータに実行させる。【選択図】図１Ａ
2020069535.tif 000002
【特許請求の範囲】
【請求項１】
無線通信機能を有する携行可能な端末装置を制御するプログラムであって、
無線通信機能を有する測定装置から無線通信を用いて通知された、前記測定装置が測定した所定のデータを前記端末装置に受信させる第１ステップを、前記端末装置のコンピュータに実行させ、
前記所定のデータは、半田こてのこて先の熱が電子部品に伝導することになる所定の処置をしたときに、所定の処置の結果に影響するデータを含み、
さらに、前記所定のデータを記録するための処理を前記端末装置に実行させる第２ステップを前記コンピュータに実行させる、端末装置制御プログラム。
【請求項２】
前記測定装置の識別情報の取得を促す画面を前記端末装置に表示させるステップと、
前記測定装置の識別情報を取得するステップと、を前記コンピュータに実行させ、
さらに、前記第２ステップの替りに、前記所定のデータと前記測定装置の識別情報とを紐づけた情報を記録するための処理を前記端末装置に実行させるステップを前記コンピュータに実行させる、請求項１に記載の端末装置制御プログラム。
【請求項３】
前記測定装置の識別情報を取得するステップは、前記端末装置に備えられるカメラによって撮影された、前記測定装置の識別コードを読み取るステップを含む、請求項２に記載の端末装置制御プログラム。
【請求項４】
前記測定装置が測定した前記所定のデータを記録する第１モードを選択するボタン、前記所定のデータと前記半田こての識別情報とを紐づけた情報を記録する第２モードを選択するボタン、並びに、前記所定のデータと前記半田こての識別情報と前記所定のデータの測定者の識別情報とを紐づけた情報を記録する第３モードを選択するボタンを含む画面を前記端末装置に表示させるステップを前記コンピュータに実行させる、請求項１に記載の端末装置制御プログラム。
【請求項５】
前記第１モードを選択するボタンが操作されたときに、前記第１ステップおよび前記第２ステップを前記コンピュータに実行させる、請求項４に記載の端末装置制御プログラム。
【請求項６】
前記第２モードを選択するボタンが操作されたときに、以下のステップを前記コンピュータに実行させる、請求項４に記載の端末装置制御プログラム：
前記半田こての識別情報の取得を促す画面を前記端末装置に表示させるステップ、
前記半田こての識別情報を取得するステップ、
前記第１ステップ、および、
前記第２ステップの替りに、前記所定のデータと前記半田こての識別情報とを紐づけた情報を記録するための処理を前記端末装置に実行させるステップ。
【請求項７】
前記第３モードを選択するボタンが操作されたときに、以下のステップを前記コンピュータに実行させる、請求項４に記載の端末装置制御プログラム：
前記半田こての識別情報の取得を促す画面を前記端末装置に表示させるステップ、
前記半田こての識別情報を取得するステップ、
前記測定者の識別情報の取得を促す画面を前記端末装置に表示させるステップ、
前記測定者の識別情報を取得するステップ、
前記第１ステップ、および、
前記第２ステップの替りに、前記所定のデータと前記半田こての識別情報と前記測定者の識別情報とを紐づけた情報を記録するための処理を前記端末装置に実行させるステップ。
【請求項８】
前記所定のデータの許容範囲を設定する画面を前記端末装置に表示させるステップと、
前記第１ステップで受信された前記所定のデータが前記許容範囲内か否かを判定するステップと、を前記コンピュータに実行させる、請求項１〜７のいずれか一項に記載の端末装置制御プログラム。
【請求項９】
前記測定装置は、前記所定のデータとして、前記半田こてのこて先温度、前記半田こてのこて先-アース間抵抗、および、前記半田こてのリーク電圧の少なくとも一つを測定する、請求項１〜８のいずれか一項に記載の端末装置制御プログラム。
【請求項１０】
前記測定装置は、前記所定のデータとして、前記半田こてのユーザからの静電気が前記電子部品に流れることを防止するリストストラップの抵抗を測定する、請求項１〜８のいずれか一項に記載の端末装置制御プログラム。
【請求項１１】
無線通信機能を有する携行可能な端末装置を制御する方法であって、
無線通信機能を有する測定装置から無線通信を用いて通知された、前記測定装置が測定した所定のデータを前記端末装置に受信させる第１ステップを備え、
前記所定のデータは、半田こてのこて先の熱が電子部品に伝導することになる所定の処置をしたときに、所定の処置の結果に影響するデータを含み、
さらに、前記所定のデータを記録するための処理を前記端末装置に実行させる第２ステップを備える、端末装置制御方法。
【請求項１２】
無線通信機能を有する携行可能な端末装置を制御するプログラムであって、
無線通信機能を有する半田こてと前記端末装置との間における無線通信を用いた前記半田こての動作パラメータのやり取りを、前記端末装置に実行させるステップと、
前記動作パラメータを示す画面を前記端末装置に表示させるステップと、を前記端末装置のコンピュータに実行させる、端末装置制御プログラム。
【請求項１３】
前記動作パラメータを記録するための処理を前記端末装置に実行させるステップを前記コンピュータに実行させる、請求項１２に記載の端末装置制御プログラム。
【請求項１４】
前記端末装置を用いて前記半田こてを制御する場合、前記やり取りを実行させるステップは、前記半田こてに通知する前記動作パラメータを前記端末装置に送信させるステップを含む、請求項１２または１３に記載の端末装置制御プログラム。
【請求項１５】
前記端末装置を用いて前記半田こてを監視する場合、前記やり取りを実行させるステップは、前記半田こてから通知された前記動作パラメータを前記端末装置に受信させるステップを含む、請求項１２〜１４のいずれか一項に記載の端末装置制御プログラム。
【請求項１６】
無線通信機能を有する測定装置が測定した所定のデータを記録する第１モードを選択するボタン、前記所定のデータと前記半田こての識別情報とを紐づけた情報を記録する第２モードを選択するボタン、並びに、前記所定のデータと前記半田こての識別情報と前記所定のデータの測定者の識別情報とを紐づけた情報を記録する第３モードを選択するボタンを含む画面を前記端末装置に表示させるステップを前記コンピュータに実行させ、
前記所定のデータは、前記半田こてのこて先の熱が電子部品に伝導することになる所定の処置をしたときに、所定の処置の結果に影響するデータを含む、請求項１２〜１５のいずれか一項に記載の端末装置制御プログラム。
【請求項１７】
前記第１モードを選択するボタンが操作されたときに、以下のステップを前記コンピュータに実行させる、請求項１６に記載の端末装置制御プログラム：
前記測定装置から無線通信を用いて通知された前記所定のデータを前記端末装置に受信させるステップ、および、
前記所定のデータを記録するための処理を前記端末装置に実行させるステップ。
【請求項１８】
前記第２モードを選択するボタンが操作されたときに、以下のステップを前記コンピュータに実行させる、請求項１６に記載の端末装置制御プログラム：
前記半田こての識別情報の取得を促す画面を前記端末装置に表示させるステップ、
前記半田こての識別情報を取得するステップ、
前記測定装置から無線通信を用いて通知された前記所定のデータを前記端末装置に受信させるステップ、および、
前記所定のデータと前記半田こての識別情報とを紐づけた情報を記録するための処理を前記端末装置に実行させるステップ。
【請求項１９】
前記半田こての識別情報を取得するステップは、前記端末装置に備えられるカメラによって撮影された、前記半田こての識別コードを読み取るステップを含む、請求項１８に記載の端末装置制御プログラム。
【請求項２０】
前記第３モードを選択するボタンが操作されたときに、以下のステップを前記コンピュータに実行させる、請求項１６に記載の端末装置制御プログラム：
前記半田こての識別情報の取得を促す画面を前記端末装置に表示させるステップ、
前記半田こての識別情報を取得するステップ、
前記測定者の識別情報の取得を促す画面を前記端末装置に表示させるステップ、
前記測定者の識別情報を取得するステップ、
前記測定装置から無線通信を用いて通知された前記所定のデータを前記端末装置に受信させるステップ、および、
前記所定のデータと前記半田こての識別情報と前記測定者の識別情報とを紐づけた情報を記録するための処理を前記端末装置に実行させるステップ。
【請求項２１】
前記半田こての識別情報を取得するステップは、前記端末装置に備えられるカメラによって撮影された、前記半田こての識別コードを読み取るステップを含み、
前記測定者の識別情報を取得するステップは、前記カメラによって撮影された、前記測定者の識別コードを読み取るステップを含む、請求項２０に記載の端末装置制御プログラム。
【請求項２２】
無線通信機能を有する測定装置が測定し、前記測定装置から無線通信を用いて通知された所定のデータを前記端末装置に受信させるステップを前記コンピュータに実行させ、
前記所定のデータは、前記半田こてのこて先の熱が電子部品に伝導することになる所定の処置をしたときに、所定の処置の結果に影響するデータを含み、
さらに、前記所定のデータを記録するための処理を前記端末装置に実行させるステップを前記コンピュータに実行させる、請求項１２〜１５のいずれか一項に記載の端末装置制御プログラム。
【請求項２３】
前記半田こての識別情報の取得を促す画面を前記端末装置に表示させるステップ、
前記半田こての識別情報を取得するステップ、および、
無線通信機能を有する測定装置が測定し、前記測定装置から無線通信を用いて通知された所定のデータを前記端末装置に受信させるステップを前記コンピュータに実行させ、
前記所定のデータは、前記半田こてのこて先の熱が電子部品に伝導することになる所定の処置をしたときに、所定の処置の結果に影響するデータを含み、
さらに、前記所定のデータと前記半田こての識別情報とを紐づけた情報を記録するための処理を前記端末装置に実行させるステップを前記コンピュータに実行させる、請求項１２〜１５のいずれか一項に記載の端末装置制御プログラム。
【請求項２４】
前記半田こての識別情報の取得を促す画面を前記端末装置に表示させるステップ、
前記半田こての識別情報を取得するステップ、
測定者の識別情報の取得を促す画面を前記端末装置に表示させるステップ、
前記測定者の識別情報を取得するステップ、および、
前記測定者が無線通信機能を有する測定装置を用いて測定し、前記測定装置から無線通信を用いて通知された所定のデータを前記端末装置に受信させるステップを前記コンピュータに実行させ、
前記所定のデータは、前記半田こてのこて先の熱が電子部品に伝導することになる所定の処置をしたときに、所定の処置の結果に影響するデータを含み、
さらに、前記所定のデータと前記半田こての識別情報と前記測定者の識別情報とを紐づけた情報を記録するための処理を前記端末装置に実行させるステップを前記コンピュータに実行させる、請求項１２〜１５のいずれか一項に記載の端末装置制御プログラム。
【請求項２５】
無線通信機能を有し、所定のデータを測定する測定装置の識別情報の取得を促す画面を前記端末装置に表示させるステップを前記コンピュータに実行させ、
前記所定のデータは、前記半田こてのこて先の熱が電子部品に伝導することになる所定の処置をしたときに、所定の処置の結果に影響するデータを含み、
さらに、前記測定装置の識別情報を取得するステップ、
前記半田こての識別情報の取得を促す画面を前記端末装置に表示させるステップ、
前記半田こての識別情報を取得するステップ、
前記測定装置が測定し、前記測定装置から無線通信を用いて通知された前記所定のデータを前記端末装置に受信させるステップ、および、
前記所定のデータと前記半田こての識別情報と前記測定装置の識別情報とを紐づけた情報を記録するための処理を前記端末装置に実行させるステップを前記コンピュータに実行させる、請求項１２〜１５のいずれか一項に記載の端末装置制御プログラム。
【請求項２６】
前記測定装置は、前記所定のデータとして、前記半田こてのこて先温度、前記半田こてのこて先-アース間抵抗、および、前記半田こてのリーク電圧の少なくとも一つを測定する、請求項１６〜２５のいずれか一項に記載の端末装置制御プログラム。
【請求項２７】
前記測定装置は、前記所定のデータとして、前記半田こてのユーザからの静電気が前記電子部品に流れることを防止するリストストラップの抵抗を測定する、請求項１６〜２５のいずれか一項に記載の端末装置制御プログラム。
【請求項２８】
無線通信機能を有する携行可能な端末装置を制御する方法であって、
無線通信機能を有する半田こてと前記端末装置との間における無線通信を用いた前記半田こての動作パラメータのやり取りを、前記端末装置に実行させるステップと、
前記動作パラメータを示す画面を前記端末装置に表示させるステップと、を備える端末装置制御方法。
【請求項２９】
無線通信機能を有する携行可能な端末装置を制御するプログラムであって、
無線通信機能を有する半田こての設定温度の設定画面を前記端末装置に表示させるステップと、
無線通信を用いて前記半田こてに通知される、前記設定画面に入力された前記設定温度を前記端末装置に送信させるステップと、を前記端末装置のコンピュータに実行させる、端末装置制御プログラム。
【請求項３０】
無線通信機能を有する携行可能な端末装置を制御する方法であって、
無線通信機能を有する半田こての設定温度の設定画面を前記端末装置に表示させるステップと、
無線通信を用いて前記半田こてに通知される、前記設定画面に入力された前記設定温度を前記端末装置に送信させるステップと、を備える端末装置制御方法。
【請求項３１】
無線通信機能を有する半田こてと無線通信を用いた前記半田こての動作パラメータのやり取りが可能であり、無線通信機能を有する携行可能な端末装置を制御するプログラムであって、
無線通信機能を有する測定装置から無線通信を用いて通知された、前記測定装置が測定した所定のデータを前記端末装置に受信させるステップを、前記端末装置のコンピュータに実行させ、
前記所定のデータは、前記半田こてのこて先の熱が電子部品に伝導することになる所定の処置をしたときに、所定の処置の結果に影響するデータを含み、
さらに、前記所定のデータを記録するための処理を前記端末装置に実行させるステップを前記コンピュータに実行させる、端末装置制御プログラム。
【請求項３２】
無線通信機能を有する半田こてと無線通信を用いた前記半田こての動作パラメータのやり取りが可能であり、無線通信機能を有する携行可能な端末装置を制御する方法であって、
無線通信機能を有する測定装置から無線通信を用いて通知された、前記測定装置が測定した所定のデータを前記端末装置に受信させるステップを備え、
前記所定のデータは、前記半田こてのこて先の熱が電子部品に伝導することになる所定の処置をしたときに、所定の処置の結果に影響するデータを含み、
さらに、前記所定のデータを記録するための処理を前記端末装置に実行させるステップを備える、端末装置制御方法。
【請求項３３】
交流給電方式の半田こてであって、
ハンドル部と、
前記ハンドル部に対して取り付けおよび取り外し可能にされたこて先部材と、
無線通信機能を有する携行可能な端末装置と無線通信を実行する、前記ハンドル部に設けられた無線通信部と、を備える、半田こて。
【請求項３４】
前記無線通信部の通信方式は、ブルートゥース規格に従った通信方式または赤外線通信規格に従った通信方式である、請求項３３に記載の半田こて。
【請求項３５】
前記ハンドル部に設けられ、前記半田こてのこて先温度を制御する制御部を備え、
前記無線通信部は、前記端末装置から通知された前記こて先温度の設定温度を受信し、
前記制御部は、前記無線通信部が受信した前記設定温度になるように前記こて先温度を制御する、請求項３３または３４に記載の半田こて。
【発明の詳細な説明】
【技術分野】
【０００１】
本発明は、半田こてを用いる作業に関連する端末装置制御プログラムおよび端末装置制御方法並びに半田こてに関する。
【背景技術】
【０００２】
電子産業において、電子部品の半田付け作業は、マニュアル操作で行われることがよくある。半田付け機能は、作業台に作業領域を設定することにより行われる。作業者は、作業領域に面した半田付け装置を操作する。半田付け装置は、半田こて、半田除去器、およびピンセットを含んでもよいが、それらに限定されない。個々の半田付け装置をＡＣ電源に接続するか、半田付け装置を電源制御ステーションに接続する必要がある。半田付け装置自体または電源制御ステーションは、主に半田付け装置のヒータに印加される電力を調整することにより、半田付け装置の発熱を制御する。
【０００３】
電源に直接接続する従来の半田こては、一般に、温度設定および温度制御機能を含まない。半田付け装置がプラグに差し込まれ、「オン」スイッチまたはボタンによって作動され、半田付け装置が「オン」である限り、電力がヒータに供給される。例えば、非特許文献１に示されるＨＡＫＫＯ ＦＸ−６００半田こてのような、いくつかのより最近のＡＣ電源半田付け装置は、ユーザが例えば２００℃から５００℃の範囲内の所望の温度を選択することを可能にするための制御電子機器を含む。一方、電源制御ステーションによって電力を供給される半田付け装置は、温度を適切な範囲内に設定することを可能にし、半田付けプロセス中に温度を維持するためのフィードバック制御を含むように強化された機能を有する。制御ステーションは、一般に、半田付け装置に電力を供給する電力供給部と、電力供給部から出力される電力を制御する電力供給制御部と、電力供給制御の制御対象である設定温度を入力する温度設定部と、温度設定部の設定情報を表示する表示部と、回路を収納する収納部とを備える。
【０００４】
作業者やオペレータは、ディスプレイに表示された情報を見ながら温度設定部を操作する。この動作は、温度設定部に対する設定情報を更新または設定する処理を含む。設定情報は、半田付け装置の設定温度を決定するための条件および半田付けされるワークの物理的特性に関する情報である。
【０００５】
産業用途では、作業者が同じ設定の半田付け機能を実行することができる一方で、監督者が効率および均一性を促進するために半田付け操作に条件を課すことがある。例えば、監督者は、半田付け作業中のワークの過熱を防ぐために、半田付け装置または電源制御装置の最高動作温度を設定することができる。
【先行技術文献】
【非特許文献】
【０００６】
【非特許文献１】白光株式会社ホームページの製品情報、［令和１年９月４日検索］、インターネット＜ＵＲＬ：https://www.hakko.com/japan/products/hakko_fx600.html＞
【発明の概要】
【発明が解決しようとする課題】
【０００７】
本発明の目的は、半田こてのユーザの利便性を向上させることができる端末装置制御プログラム、端末装置制御方法および半田こてを提供することである。
【課題を解決するための手段】
【０００８】
本明細書で用いられる主な用語について説明をする。無線通信機能を有する携行可能な端末装置は、例えば、スマートフォン、タブレット端末、携帯端末である。
【０００９】
半田こてのこて先の熱が電子部品に伝導することになる所定の処置は、半田付けに限らない。基板に電子部品が半田付けされた状態で、半田を溶かし、半田を吸い取る処置でもよいし、基板に半田付けされた電子部品に対して、半田を溶かして、電子部品を基板から取り外す処置でもよい。前者の用途の半田こては、半田吸取器と称され、後者の用途の半田こては、ホットツイーザー（ｈｏｔ  ｔｗｅｅｚｅｒｓ）と称される。
【００１０】
所定の処置の結果に影響するデータ（所定のデータ）は、例えば、半田こてのこて先温度、半田こてのこて先-アース間抵抗、半田こてのリーク電圧、半田こてのユーザからの静電気が電子部品に流れることを防止するリストストラップの抵抗である。所定の処置の結果に影響するデータが良くなければ、所定の処置の結果、例えば、電子部品の性能が劣化したり、電子部品が故障したり、電子部品の半田付けが不良になったりする。
【００１１】
（１）本発明の第１局面に係る端末装置制御プログラムの目的は、半田こてのこて先の熱が電子部品に伝導することになる所定の処置をしたときに、所定の処置の結果に影響するデータの記録を支援することである。本発明の第１局面に係る端末装置制御プログラムは、無線通信機能を有する携行可能な端末装置を制御するプログラムであって、無線通信機能を有する測定装置から無線通信を用いて通知された、前記測定装置が測定した所定のデータを前記端末装置に受信させる第１ステップを、前記端末装置のコンピュータに実行させ、前記所定のデータは、半田こてのこて先の熱が電子部品に伝導することになる所定の処置をしたときに、所定の処置の結果に影響するデータを含み、さらに、前記所定のデータを記録するための処理を前記端末装置に実行させる第２ステップを前記コンピュータに実行させる。
【００１２】
第２ステップは、例えば、所定のデータの記録を決定するボタン（ソフトキー）を含む画面を端末装置に表示させ、ボタンがタッチされることにより、所定のデータを端末装置または端末装置を介して所定の情報記憶装置（例えば、サーバ）に記録する処理を端末装置に実行させるステップでもよいし、所定のデータを端末装置または端末装置を介して所定の情報記憶装置に自動的に記録する処理を端末装置に実行させるステップでもよい。
【００１３】
本発明の第１局面に係る端末装置制御プログラムによれば、半田こてのこて先の熱が電子部品に伝導することになる所定の処置をしたときに、所定の処置の結果に影響するデータの記録を支援することができる。従って、半田こてのユーザの利便性を向上させることができる。
【００１４】
（２）上記構成において、前記測定装置の識別情報の取得を促す画面を前記端末装置に表示させるステップと、前記測定装置の識別情報を取得するステップと、を前記コンピュータに実行させ、さらに、前記第２ステップの替りに、前記所定のデータと前記測定装置の識別情報とを紐づけた情報を記録するための処理を前記端末装置に実行させるステップを前記コンピュータに実行させる。
【００１５】
この構成によれば、所定のデータと測定装置の識別情報（ＩＤ）とを紐づけた情報の記録を支援することができる。
【００１６】
（３）上記構成において、前記測定装置の識別情報を取得するステップは、前記端末装置に備えられるカメラによって撮影された、前記測定装置の識別コードを読み取るステップを含む。
【００１７】
識別コードは、例えば、ＱＲコード（登録商標）、バーコードである。
【００１８】
（４）上記構成において、前記測定装置が測定した前記所定のデータを記録する第１モードを選択するボタン（ソフトキー）、前記所定のデータと前記半田こての識別情報とを紐づけた情報を記録する第２モードを選択するボタン（ソフトキー）、並びに、前記所定のデータと前記半田こての識別情報と前記所定のデータの測定者の識別情報とを紐づけた情報を記録する第３モードを選択するボタン（ソフトキー）を含む画面を前記端末装置に表示させるステップを前記コンピュータに実行させる。
【００１９】
この構成によれば、ユーザは、状況に応じて、第１モード、第２モード、第３モードの中から選択することができる。
【００２０】
（５）上記構成において、前記第１モードを選択するボタンが操作されたときに、前記第１ステップおよび前記第２ステップを前記コンピュータに実行させる。
【００２１】
この構成は、第１モードが選択されたときに、端末装置のコンピュータが実行する処理について規定する。
【００２２】
（６）上記構成において、前記第２モードを選択するボタンが操作されたときに、以下のステップを前記コンピュータに実行させる：前記半田こての識別情報の取得を促す画面を前記端末装置に表示させるステップ、前記半田こての識別情報を取得するステップ、前記第１ステップ、および、前記第２ステップの替りに、前記所定のデータと前記半田こての識別情報とを紐づけた情報を記録するための処理を前記端末装置に実行させるステップ。
【００２３】
この構成は、第２モードが選択されたときに、端末装置のコンピュータが実行する処理について規定する。
【００２４】
（７）上記構成において、前記第３モードを選択するボタンが操作されたときに、以下のステップを前記コンピュータに実行させる：前記半田こての識別情報の取得を促す画面を前記端末装置に表示させるステップ、前記半田こての識別情報を取得するステップ、前記測定者の識別情報の取得を促す画面を前記端末装置に表示させるステップ、前記測定者の識別情報を取得するステップ、前記第１ステップ、および、前記第２ステップの替りに、前記所定のデータと前記半田こての識別情報と前記測定者の識別情報とを紐づけた情報を記録するための処理を前記端末装置に実行させるステップ。
【００２５】
この構成は、第３モードが選択されたときに、端末装置のコンピュータが実行する処理について規定する。
【００２６】
（８）上記構成において、前記所定のデータの許容範囲を設定する画面を前記端末装置に表示させるステップと、前記第１ステップで受信された前記所定のデータが前記許容範囲内か否かを判定するステップと、を前記コンピュータに実行させる。
【００２７】
この構成によれば、例えば、所定のデータが許容範囲内か否かを所定のデータの測定者に知らせることが可能となり、また、所定のデータが許容範囲内のとき、所定のデータを自動記録し、所定のデータが許容範囲外のとき、所定のデータの再測定を測定者に促すことが可能となる。
【００２８】
（９）上記構成において、前記測定装置は、前記所定のデータとして、前記半田こてのこて先温度、前記半田こてのこて先-アース間抵抗、および、前記半田こてのリーク電圧の少なくとも一つを測定する。
【００２９】
この構成は、測定装置の例を規定する。
【００３０】
（１０）上記構成において、前記測定装置は、前記所定のデータとして、前記半田こてのユーザからの静電気が前記電子部品に流れることを防止するリストストラップの抵抗を測定する。
【００３１】
この構成は、測定装置の他の例を規定する。
【００３２】
（１１）本発明の第２の局面に係る端末装置制御方法は、無線通信機能を有する携行可能な端末装置を制御する方法であって、無線通信機能を有する測定装置から無線通信を用いて通知された、前記測定装置が測定した所定のデータを前記端末装置に受信させる第１ステップを備え、前記所定のデータは、半田こてのこて先の熱が電子部品に伝導することになる所定の処置をしたときに、所定の処置の結果に影響するデータを含み、さらに、前記所定のデータを記録するための処理を前記端末装置に実行させる第２ステップを備える。
【００３３】
本発明の第２局面に係る端末装置制御方法は、本発明の第１局面に係る端末装置制御プログラムを方法の観点から規定しており、本発明の第１局面に係る端末装置制御プログラムと同様の作用効果を有する。
【００３４】
（１２）本発明の第３局面に係る端末装置制御プログラムの目的は、半田こてのユーザの利便性を向上させることである。本発明の第３局面に係る端末装置制御プログラムは、無線通信機能を有する携行可能な端末装置を制御するプログラムであって、無線通信機能を有する半田こてと前記端末装置との間における無線通信を用いた前記半田こての動作パラメータのやり取りを、前記端末装置に実行させるステップと、前記動作パラメータを示す画面を前記端末装置に表示させるステップと、を前記端末装置のコンピュータに実行させる。
【００３５】
本発明の第３局面に係る端末装置制御プログラムによれば、半田こてと端末装置との間における半田こての動作パラメータのやり取りを、端末装置に実行させるので、動作パラメータを端末装置で管理することができる。これにより、ユーザの利便性を向上させることができる。
【００３６】
（１３）上記構成において、前記動作パラメータを記録するための処理を前記端末装置に実行させるステップを前記コンピュータに実行させる。
【００３７】
このステップは、例えば、動作パラメータの記録を決定するボタン（ソフトキー）を含む画面を端末装置に表示させ、ボタンがタッチされることにより、動作パラメータを端末装置または端末装置を介して所定の情報記憶装置（例えば、サーバ）に記録する処理を端末装置に実行させるステップでもよいし、動作パラメータを端末装置または端末装置を介して所定の情報記憶装置に自動的に記録する処理を端末装置に実行させるステップでもよい。
【００３８】
（１４）上記構成において、前記端末装置を用いて前記半田こてを制御する場合、前記やり取りを実行させるステップは、前記半田こてに通知する前記動作パラメータを前記端末装置に送信させるステップを含む。
【００３９】
この構成は、端末装置を用いた半田こての制御について規定する。動作パラメータは、例えば、半田こてに設定されるこて先温度（こて先の設定温度）である。
【００４０】
（１５）上記構成において、前記端末装置を用いて前記半田こてを監視する場合、前記やり取りを実行させるステップは、前記半田こてから通知された前記動作パラメータを前記端末装置に受信させるステップを含む。
【００４１】
この構成は、端末装置を用いた半田こての監視について規定する。動作パラメータは、例えば、半田こてに内蔵された温度センサで測定されたこて先温度である。
【００４２】
（１６）上記構成において、無線通信機能を有する測定装置が測定した所定のデータを記録する第１モードを選択するボタン（ソフトキー）、前記所定のデータと前記半田こての識別情報とを紐づけた情報を記録する第２モードを選択するボタン（ソフトキー）、並びに、前記所定のデータと前記半田こての識別情報と前記所定のデータの測定者の識別情報とを紐づけた情報を記録する第３モードを選択するボタン（ソフトキー）を含む画面を前記端末装置に表示させるステップを前記コンピュータに実行させ、前記所定のデータは、前記半田こてのこて先の熱が電子部品に伝導することになる所定の処置をしたときに、所定の処置の結果に影響するデータを含む。
【００４３】
この構成によれば、ユーザは、状況に応じて、第１モード、第２モード、第３モードの中から選択することができる。
【００４４】
（１７）上記構成において、前記第１モードを選択するボタンが操作されたときに、以下のステップを前記コンピュータに実行させる：前記測定装置から無線通信を用いて通知された前記所定のデータを前記端末装置に受信させるステップ、および、前記所定のデータを記録するための処理を前記端末装置に実行させるステップ。
【００４５】
この構成は、第１モードが選択されたときに、端末装置のコンピュータが実行する処理について規定する。
【００４６】
（１８）上記構成において、前記第２モードを選択するボタンが操作されたときに、以下のステップを前記コンピュータに実行させる：前記半田こての識別情報の取得を促す画面を前記端末装置に表示させるステップ、前記半田こての識別情報を取得するステップ、前記測定装置から無線通信を用いて通知された前記所定のデータを前記端末装置に受信させるステップ、および、前記所定のデータと前記半田こての識別情報とを紐づけた情報を記録するための処理を前記端末装置に実行させるステップ。
【００４７】
この構成は、第２モードが選択されたときに、端末装置のコンピュータが実行する処理について規定する。
【００４８】
（１９）上記構成において、前記半田こての識別情報を取得するステップは、前記端末装置に備えられるカメラによって撮影された、前記半田こての識別コードを読み取るステップを含む。
【００４９】
この構成は、半田こての識別情報を取得するステップの例を規定する。
【００５０】
（２０）上記構成において、前記第３モードを選択するボタンが操作されたときに、以下のステップを前記コンピュータに実行させる：前記半田こての識別情報の取得を促す画面を前記端末装置に表示させるステップ、前記半田こての識別情報を取得するステップ、前記測定者の識別情報の取得を促す画面を前記端末装置に表示させるステップ、前記測定者の識別情報を取得するステップ、前記測定装置から無線通信を用いて通知された前記所定のデータを前記端末装置に受信させるステップ、および、前記所定のデータと前記半田こての識別情報と前記測定者の識別情報とを紐づけた情報を記録するための処理を前記端末装置に実行させるステップ。
【００５１】
この構成は、第３モードが選択されたときに、端末装置のコンピュータが実行する処理について規定する。
【００５２】
（２１）上記構成において、前記半田こての識別情報を取得するステップは、前記端末装置に備えられるカメラによって撮影された、前記半田こての識別コードを読み取るステップを含み、前記測定者の識別情報を取得するステップは、前記カメラによって撮影された、前記測定者の識別コードを読み取るステップを含む。
【００５３】
この構成は、半田こての識別情報および測定者の識別情報を取得するステップの例を規定する。
【００５４】
（２２）上記構成において、無線通信機能を有する測定装置が測定し、前記測定装置から無線通信を用いて通知された所定のデータを前記端末装置に受信させるステップを前記コンピュータに実行させ、前記所定のデータは、前記半田こてのこて先の熱が電子部品に伝導することになる所定の処置をしたときに、所定の処置の結果に影響するデータを含み、さらに、前記所定のデータを記録するための処理を前記端末装置に実行させるステップを前記コンピュータに実行させる。
【００５５】
この構成によれば、半田こてのこて先の熱が電子部品に伝導することになる所定の処置をしたときに、所定の処置の結果に影響するデータの記録を支援することができる。
【００５６】
前記所定のデータを記録するための処理を前記端末装置に実行させるステップは、上述した第２ステップと同様に、ボタンがタッチされることにより所定のデータを記録するための処理がされてもよいし、自動的に所定のデータを記録するための処理がされてもよい。
【００５７】
（２３）上記構成において、前記半田こての識別情報の取得を促す画面を前記端末装置に表示させるステップ、前記半田こての識別情報を取得するステップ、および、無線通信機能を有する測定装置が測定し、前記測定装置から無線通信を用いて通知された所定のデータを前記端末装置に受信させるステップを前記コンピュータに実行させ、前記所定のデータは、前記半田こてのこて先の熱が電子部品に伝導することになる所定の処置をしたときに、所定の処置の結果に影響するデータを含み、さらに、前記所定のデータと前記半田こての識別情報とを紐づけた情報を記録するための処理を前記端末装置に実行させるステップを前記コンピュータに実行させる。
【００５８】
この構成によれば、半田こてのこて先の熱が電子部品に伝導することになる所定の処置をしたときに、所定の処置の結果に影響するデータと半田こての識別情報とを紐づけた情報の記録を支援することができる。
【００５９】
前記所定のデータと前記半田こての識別情報とを紐づけた情報を記録するための処理を前記端末装置に実行させるステップは、例えば、所定のデータと半田こての識別情報とを紐づけた情報の記録を決定するボタン（ソフトキー）を含む画面を端末装置に表示させ、ボタンがタッチされることにより、この情報を端末装置または端末装置を介して所定の情報記憶装置（例えば、サーバ）に記録する処理を端末装置に実行させるステップでもよいし、この情報を端末装置または端末装置を介して所定の情報記憶装置に自動的に記録する処理を端末装置に実行させるステップでもよい。
【００６０】
（２４）上記構成において、前記半田こての識別情報の取得を促す画面を前記端末装置に表示させるステップ、前記半田こての識別情報を取得するステップ、測定者の識別情報の取得を促す画面を前記端末装置に表示させるステップ、前記測定者の識別情報を取得するステップ、および、前記測定者が無線通信機能を有する測定装置を用いて測定し、前記測定装置から無線通信を用いて通知された所定のデータを前記端末装置に受信させるステップを前記コンピュータに実行させ、前記所定のデータは、前記半田こてのこて先の熱が電子部品に伝導することになる所定の処置をしたときに、所定の処置の結果に影響するデータを含み、さらに、前記所定のデータと前記半田こての識別情報と前記測定者の識別情報とを紐づけた情報を記録するための処理を前記端末装置に実行させるステップを前記コンピュータに実行させる。
【００６１】
この構成によれば、半田こてのこて先の熱が電子部品に伝導することになる所定の処置をしたときに、所定の処置の結果に影響するデータと半田こての識別情報と測定者の識別情報とを紐づけた情報の記録を支援することができる。
【００６２】
前記所定のデータと前記半田こての識別情報と前記測定者の識別情報とを紐づけた情報を記録するための処理を前記端末装置に実行させるステップは、例えば、所定のデータと半田こての識別情報と測定者の識別情報とを紐づけた情報の記録を決定するボタン（ソフトキー）を含む画面を端末装置に表示させ、ボタンがタッチされることにより、この情報を端末装置または端末装置を介して所定の情報記憶装置（例えば、サーバ）に記録する処理を端末装置に実行させるステップでもよいし、この情報を端末装置または端末装置を介して所定の情報記憶装置に自動的に記録する処理を端末装置に実行させるステップでもよい。
【００６３】
（２５）上記構成において、無線通信機能を有し、所定のデータを測定する測定装置の識別情報の取得を促す画面を前記端末装置に表示させるステップを前記コンピュータに実行させ、前記所定のデータは、前記半田こてのこて先の熱が電子部品に伝導することになる所定の処置をしたときに、所定の処置の結果に影響するデータを含み、さらに、前記測定装置の識別情報を取得するステップ、前記半田こての識別情報の取得を促す画面を前記端末装置に表示させるステップ、前記半田こての識別情報を取得するステップ、前記測定装置が測定し、前記測定装置から無線通信を用いて通知された前記所定のデータを前記端末装置に受信させるステップ、および、前記所定のデータと前記半田こての識別情報と前記測定装置の識別情報とを紐づけた情報を記録するための処理を前記端末装置に実行させるステップを前記コンピュータに実行させる。
【００６４】
この構成によれば、半田こてのこて先の熱が電子部品に伝導することになる所定の処置をしたときに、所定の処置の結果に影響するデータと半田こての識別情報と測定装置の識別情報とを紐づけた情報の記録を支援することができる。
【００６５】
前記所定のデータと前記半田こての識別情報と前記測定装置の識別情報とを紐づけた情報を記録するための処理を前記端末装置に実行させるステップは、例えば、所定のデータと半田こての識別情報と測定装置の識別情報とを紐づけた情報の記録を決定するボタン（ソフトキー）を含む画面を端末装置に表示させ、ボタンがタッチされることにより、この情報を端末装置または端末装置を介して所定の情報記憶装置（例えば、サーバ）に記録する処理を端末装置に実行させるステップでもよいし、この情報を端末装置または端末装置を介して所定の情報記憶装置に自動的に記録する処理を端末装置に実行させるステップでもよい。
【００６６】
（２６）上記構成において、前記測定装置は、前記所定のデータとして、前記半田こてのこて先温度、前記半田こてのこて先-アース間抵抗、および、前記半田こてのリーク電圧の少なくとも一つを測定する。
【００６７】
この構成は、測定装置の例を規定する。
【００６８】
（２７）上記構成において、前記測定装置は、前記所定のデータとして、前記半田こてのユーザからの静電気が前記電子部品に流れることを防止するリストストラップの抵抗を測定する。
【００６９】
この構成は、測定装置の他の例を規定する。
【００７０】
（２８）本発明の第４局面に係る端末装置制御方法は、無線通信機能を有する携行可能な端末装置を制御する方法であって、無線通信機能を有する半田こてと前記端末装置との間における無線通信を用いた前記半田こての動作パラメータのやり取りを、前記端末装置に実行させるステップと、前記動作パラメータを示す画面を前記端末装置に表示させるステップと、を備える。
【００７１】
本発明の第４局面に係る端末装置制御方法は、本発明の第３局面に係る端末装置制御プログラムを方法の観点から規定しており、本発明の第３局面に係る端末装置制御プログラムと同様の作用効果を有する。
【００７２】
（２９）本発明の第５局面に係る端末装置制御プログラムの目的は、半田こてのユーザの利便性を向上させることである。本発明の第５局面に係る端末装置制御プログラムは、無線通信機能を有する携行可能な端末装置を制御するプログラムであって、無線通信機能を有する半田こての設定温度の設定画面を前記端末装置に表示させるステップと、無線通信を用いて前記半田こてに通知される、前記設定画面に入力された前記設定温度を前記端末装置に送信させるステップと、を前記端末装置のコンピュータに実行させる。
【００７３】
本発明の第５局面に係る端末装置制御プログラムによれば、端末装置を用いた無線通信により半田こてのこて先温度を設定できるので、ユーザの利便性を向上させることができる。
【００７４】
（３０）本発明の第６局面に係る端末装置制御方法は、無線通信機能を有する携行可能な端末装置を制御する方法であって、無線通信機能を有する半田こての設定温度の設定画面を前記端末装置に表示させるステップと、無線通信を用いて前記半田こてに通知される、前記設定画面に入力された前記設定温度を前記端末装置に送信させるステップと、を備える。
【００７５】
本発明の第６局面に係る端末装置制御方法は、本発明の第５局面に係る端末装置制御プログラムを方法の観点から規定しており、本発明の第５局面に係る端末装置制御プログラムと同様の作用効果を有する。
【００７６】
（３１）本発明の第７局面に係る端末装置制御プログラムの目的は、半田こてのこて先の熱が電子部品に伝導することになる所定の処置をしたときに、所定の処置の結果に影響するデータの記録を支援することである。本発明の第７局面に係る端末装置制御プログラムは、無線通信機能を有する半田こてと無線通信を用いた前記半田こての動作パラメータのやり取りが可能であり、無線通信機能を有する携行可能な端末装置を制御するプログラムであって、無線通信機能を有する測定装置から無線通信を用いて通知された、前記測定装置が測定した所定のデータを前記端末装置に受信させるステップを、前記端末装置のコンピュータに実行させ、前記所定のデータは、前記半田こてのこて先の熱が電子部品に伝導することになる所定の処置をしたときに、所定の処置の結果に影響するデータを含み、さらに、前記所定のデータを記録するための処理を前記端末装置に実行させるステップを前記コンピュータに実行させる。
【００７７】
本発明の第７局面に係る端末装置制御プログラムによれば、半田こてのこて先の熱が電子部品に伝導することになる所定の処置をしたときに、所定の処置の結果に影響するデータの記録を支援することができる。
【００７８】
前記所定のデータを記録するための処理を前記端末装置に実行させるステップは、上述した第２ステップと同様に、ボタンがタッチされることにより所定のデータを記録するための処理がされてもよいし、自動的に所定のデータを記録するための処理がされてもよい。
【００７９】
（３２）本発明の第８局面に係る端末装置制御方法は、無線通信機能を有する半田こてと無線通信を用いた前記半田こての動作パラメータのやり取りが可能であり、無線通信機能を有する携行可能な端末装置を制御する方法であって、無線通信機能を有する測定装置から無線通信を用いて通知された、前記測定装置が測定した所定のデータを前記端末装置に受信させるステップを備え、前記所定のデータは、前記半田こてのこて先の熱が電子部品に伝導することになる所定の処置をしたときに、所定の処置の結果に影響するデータを含み、さらに、前記所定のデータを記録するための処理を前記端末装置に実行させるステップを備える。
【００８０】
本発明の第８局面に係る端末装置制御方法は、本発明の第７局面に係る端末装置制御プログラムを方法の観点から規定しており、本発明の第７局面に係る端末装置制御プログラムと同様の作用効果を有する。
【００８１】
（３３）本発明の第９局面に係る半田こての目的は、半田こてのユーザの利便性を向上させることである。本発明の第９局面に係る半田こては、交流給電方式の半田こてであって、ハンドル部と、前記ハンドル部に対して取り付けおよび取り外し可能にされたこて先部材と、無線通信機能を有する携行可能な端末装置と無線通信を実行する、前記ハンドル部に設けられた無線通信部と、を備える。
【００８２】
こて先部材の第１例は、ヒータおよびこて先を含むカートリッジである。第１例では、カートリッジがハンドル部に対して取り付けおよび取り外し可能にされている。こて先部材の第２例は、ヒータを含んでおらず、こて先、開口端、および、開口端からヒータに被さる空間部を有する。第２例では、ハンドル部に固定され、ハンドル部から突き出したヒータに、こて先部材の空間部を被せて、こて先部材がハンドル部に取り付けられる。
【００８３】
本発明の第９局面に係る半田こてによれば、携行可能な端末装置と無線通信が可能なので、この端末装置を用いて半田こてを制御したり、監視したりすることが可能となる。従って、半田こてのユーザの利便性を向上させることができる。
【００８４】
（３４）上記構成において、前記無線通信部の通信方式は、ブルートゥース（登録商標）規格に従った通信方式または赤外線通信規格に従った通信方式である。
【００８５】
この構成は、無線通信方式の例を規定する。
【００８６】
（３５）上記構成において、前記ハンドル部に設けられ、前記半田こてのこて先温度を制御する制御部を備え、前記無線通信部は、前記端末装置から通知された前記こて先温度の設定温度を受信し、前記制御部は、前記無線通信部が受信した前記設定温度になるように前記こて先温度を制御する。
【００８７】
この構成によれば、携行可能な端末装置を用いて、半田こてを制御する例を規定する。
【発明の効果】
【００８８】
本発明によれば、半田こてのユーザの利便性を向上させることができる。
【図面の簡単な説明】
【００８９】
【図１Ａ】本発明の半田付けシステムおよびスマートデバイスコントローラのブロック図および概略図を提供する。
【図１Ｂ】温度計の電気的構成を示すブロック図である。
【図２】図１Ａの半田付けシステムを制御するためのユーザによるスマートデバイスの動作の概略図を提供する。
【図３】本発明のスマートデバイスコントローラによって制御することができるＡＣ電源式半田付け装置のブロック図および概略図を提供する。
【図４Ａ】図３のＡＣ電源式半田付け装置の主要電子部品のブロック図および概略図を提供する。
【図４Ｂ】スマートデバイスを用いて半田付け装置のこて先温度を設定する動作を説明する説明図である。
【図４Ｃ】スマートデバイスを用いて半田付け装置のこて先温度の測定値を取得・記録する動作を説明する説明図である。
【図５】図１Ａのスマートデバイス内にインストールされたプログラムアプリケーション（アプリ）内で生成された画面表示の進行を示す。
【図６】図１Ａおよび図２のスマートデバイスに格納されているアプリのソフトウェアのプログラム論理図である。
【図７Ａ】本発明の改良版による、すべてスマートデバイスコントローラと通信する安全要素を備えた半田付けステーションのブロック図および概略図を提供する。
【図７Ｂ】検出装置の電気的構成を示すブロック図である。
【図７Ｃ】リストストラップテスタの電気的構成を示すブロック図である。
【図８】図１Ａおよび図２のスマートデバイスに格納されているアプリのソフトウェアのプログラム論理図である。
【図９】図１Ａおよび図２のスマートデバイスに格納されているアプリのソフトウェアのプログラム論理図である。
【発明を実施するための形態】
【００９０】
図１Ａは、本発明によるスマートデバイス１２で拡張された半田付けシステム１０のブロック図および概略図を提供する。半田付けシステム１０は、ケーブルアセンブリ２２を介してハンドル２４およびカートリッジ２６に接続されている制御ステーション２０の周囲に構成されている。制御ステーション２０は、制御信号および電力をカートリッジ２６に供給し、オペレータは制御ステーション２０を半田付けまたは半田除去操作を行うために操作する。
【００９１】
制御ステーション２０は、スマートデバイス１２、直接またはスマートデバイス１２を介してホストマシン４０、並びに、温度計５０（測定装置）などの温度センサとの無線通信を可能にする回路を含むように適合されている。ホストマシン４０は保護されたイントラネットシステムの構成要素であり、あるいはインターネットに接続されていてもよい。
【００９２】
制御ステーション２０は、図１Ａに並べて描かれているフロントパネル２０Ａおよびリアパネル２０Ｂを有する。フロントパネル２０Ａ上に、制御ステーション２０は、例えば液晶ディスプレイ（ＬＣＤ）などのディスプレイ５５を有する。ディスプレイ５５は例えば発光ダイオード（ＬＥＤ）ディスプレイを使用してもよい。フロントパネル２０Ａはまた、ケーブルアセンブリ２２への接続を可能にするソケット５２と、制御ステーション２０に電源を入れたり切ったりするための電源スイッチ５４とを含む。フロントパネル２０Ａはまた、ボタン５６Ａ、５６Ｂ、５６Ｃ、および５６Ｄとして示される、データまたは制御を入力するためのいくつかの要素を含む。データ入力要素は、例えば押しボタン、トグルスイッチ、ノブ、ダイヤル、およびタッチまたは光学センサを含む任意の数の電気的構成要素であり得る。
【００９３】
制御ステーション２０のリアパネル２０Ｂは、電源ソケット６０と、少なくとも１つの接続ボードスロット６２とを含む。図１Ａは、例えばカバーパネル７０、ＲＳ２３２Ｃ回路基板７２、無線接続基板７４、ＵＳＢコネクタ基板７６、およびＬＡＮ基板７８を含む、接続ボードスロット６２に取り付けることができる様々なアイテムを概略的に示す。これらの基板７２、７４、７６、および７８のそれぞれは、制御ステーション２０をスマートデバイス１２またはホストマシン４０に相互接続するために適切な無線接続性で使用され得る。
【００９４】
図１Ａはまた、カートリッジ２６を固定するハンドル２４を概略的に示す。ハンドル２４は、例えばＰＲＯＭ、ＥＰＲＯＭまたはＥＥＰＲＯＭのようなメモリ要素３４を含み得る。メモリ要素３４は、ハンドル２４に挿入されたカートリッジ２６の種類に特有の情報を格納するために使用されてもよい。
【００９５】
情報は、変更することができないデータ（固定データ）を含むことができ、制御ステーション２０によって又はそれを介してメモリ要素３４に書き込まれる情報（可変データ）を記憶することができる。固定データは、例えば、各カートリッジ２６のカートリッジシリアル番号、こて先形状データ、および工場設定温度データを含むことができる。 可変データは、プログラムされた設定温度データ、温度オフセット値、印加負荷カウント、合計電力時間、半田操作総数、および鉛入り半田の使用を含むことができる。印加負荷カウントは、半田付け以外の操作（したがって、半田付け操作総数よりも大きい数）から構成されてもよいし、または通電時間の合計でもよい。
【００９６】
好ましい実施形態では、様々なカートリッジ２６のそれぞれを含む半田付けシステム１０の各構成要素に、各構成要素を一意に識別するためのクイックレスポンスコード（「ＱＲコード」：登録商標）タイプのマトリックスバーコードが設けられている。カートリッジ２６は、一体型ヒータ／センサ３６およびこて先３８を含む。半田付けシステム１０は、任意の数の既知のこて先デザインを有する半田付けおよび半田除去カートリッジの複数の種類およびスタイルを提供する。
【００９７】
図１Ｂは、温度計５０の電気的構成を示すブロック図である。温度計５０は、温度センサ５０１と、無線通信インターフェース５０２と、マイコン５０３と、を備える。温度計５０は、こて先温度を測定する機能およびこの測定値を無線で送信する機能を有する。
【００９８】
温度センサ５０１は、例えば、熱電対であり、こて先温度の測定に用いられる。無線通信インターフェース５０２は、ブルートゥース（登録商標）規格に従った通信方式によって、スマートデバイス１２と無線通信する機能を有する。通信方式は、ブルートゥース規格に限らず、例えば、赤外線通信規格やＮＦＣ（Ｎｅａｒ  ｆｉｅｌｄ  ｃｏｍｍｕｎｉｃａｔｉｏｎ）でもよい。マイコン５０３は、温度計５０の機能を実現するための各種の処理および制御をする。
【００９９】
図２は、スマートデバイス１２と半田付けシステム１０との相互作用の略図であるボックス図である。スマートデバイス１２は、最初にダウンロード可能なソフトウェアプログラムアプリケーション（以下「アプリ」）でプログラムされる。スマートデバイス１２のホーム画面上のアイコンは、ユーザがアプリを起動することを可能にする。ユーザはスマートデバイス１２上でアプリを起動し、次いでスマートデバイス１２を使用して制御ステーション２０、温度計５０、およびオペレータ／ユーザまたは関連するワークステーションに関連するＱＲコードを読み取る。制御ステーション２０および温度計５０のＱＲコードを読み取った後、スマートデバイス１２は温度計５０との無線通信リンクを確立し、スマートデバイス１２が温度計５０から温度測定信号を受信することを可能にする。なお、スマートデバイス１２が、制御ステーション２０との無線通信リンクを確立し、制御ステーション２０から制御データを受信できるようにしてもよい。スマートデバイス１２は、受信した情報を表示し、スマートデバイス１２のユーザが、以下により詳細に説明するように、制御ステーション２０と、プログラムされたやり取りを開始することを可能にする。
【０１００】
図３は、スマートデバイス１２と、図１Ａおよび図２の制御ステーション２０を有さないＡＣ電源式半田付け装置との相互作用の略図である。図３の半田付け装置は、ガン式半田付け装置８０または棒式半田付け装置８２である。制御ステーション２０を有さないＡＣ電源式半田付け装置の総称を半田付け装置８０、８２と記載する。半田付け装置８０、８２のそれぞれは、スマートデバイス１２が通信を開始し、半田付け装置８０、８２の動作に対する制御をするために、読み取ることができる固有のＱＲコードを含む。図３はまた、ユーザの絵を示し、ユーザ又はユーザのワークステーションは、スマートデバイス１２によって読み取られ得るＱＲコードを有していてもよい。スマートデバイス１２が半田付け装置８０、８２のＱＲコードを読み取った後、スマートデバイス１２は半田付け装置８０、８２との無線通信リンクを確立する。次に、スマートデバイス１２はアプリプログラム上で動作し、スマートデバイス１２の画面上に一連の情報を表示して、ユーザが半田付け装置８０、８２をプログラムすることを可能にする。例えば、ユーザは、スマートデバイス１２のアプリを操作して、実際の設定温度、こて先温度センサ値、および通電間隔を見て、半田付け装置８０、８２の設定温度を変更することができる。
【０１０１】
スマートデバイス１２はまた、アプリを利用して温度計５０のＱＲコードをスキャンし、次いで温度計５０によって測定された温度データを使用して半田付け装置８０、８２の実際のこて先温度をチェックし、設定温度における実際のこて先温度と、こて先温度センサデータとを比較し、半田付け装置８０、８２および所定の半田付け操作をするために、関連するカートリッジ２６に対して、温度設定の調整が必要かどうかを決定する。
【０１０２】
図４Ａは、図３の半田付け装置８０、８２の基本回路ブロック図を提供する。半田付け装置８０、８２は、８４によって概略的に表されるホルダーまたはハンドルを備える。ハンドル８４は、一体型ヒータ／センサ３６およびこて先３８（半田付けこて先）を含むカートリッジ２６を受けるように構成されている。当然のことながら、複数の異なる種類の半田付けカートリッジ２６をハンドル８４と一緒に使用することができ、カートリッジ２６は、例えば、平ら、尖った、くさび形、傾斜円錐形、長方形および箱形などのこて先３８の複数の異なる構成を有することができる。各タイプのカートリッジこて先構成は、独自の電力供給要件を有することがあり、カートリッジ２６に適切に電力を供給するために、半田付け装置８０、８２は、所望のこて先温度を得るために電力出力を適合させることが必要となる。一体型ヒータ／センサ３６のセンサは、例えば、熱電対である。
【０１０３】
ハンドル８４内の回路は、中央処理装置（ＣＰＵ）９０を含むことが好ましく、ＣＰＵ９０は、ヒータ回路９１、こて先温度回路９２、ＡＣ ／ ＤＣ電力変換回路９３、表示回路９４および無線通信回路９５に接続されて制御をする。これらは、ＰＣＢ基板８８に形成されている。ヒータ回路９１は、カートリッジ２６のヒータに電力を供給するためにＣＰＵ９０によって制御される。こて先温度回路９２は、半田付け装置８０、８２の動作中に、カートリッジ２６のヒータ／センサ３６のセンサ（熱電対）が発生する熱起電力を測定する。ＣＰＵ９０は、測定された起電力を基にしてこて先温度を算出する（こて先温度の測定値が得られる）。
【０１０４】
ＡＣ/ＤＣ電力インバータ回路９３は、ＡＣ電源に接続し、整流されたＤＣ電力をＣＰＵ９０に供給する。表示回路９４は、ＣＰＵ９０によって制御され、例えばオン/オフステータス、準備完了ステータス、こて先温度設定、および/または実際のこて先温度データ等のデータを表示するＬＥＤまたは液晶ディスプレイとすることができる。ＣＰＵ９０に接続された無線通信回路９５は、ブルートゥース回路であることが好ましいが、例えばスマートデバイス１２と対話するための赤外線通信回路または無線周波数通信回路を含む他のタイプの無線通信回路であってもよい。
【０１０５】
ＣＰＵ９０は、こて先温度回路９２によって提供されるこて先温度を監視し、その測定されたこて先温度を所望の設定温度と比較し、望ましいこて先温度を確立するため、一体型ヒータ／センサ３６にヒータ回路９１によって提供される電力を調整する温度フィードバック制御プログラムを含むことが好ましい。無線通信回路９５は、ＣＰＵ９０がスマートデバイス１２に接続して、半田付けプロセスで使用されているカートリッジ２６の温度設定および電力レベル要件に関する更新命令を取得することを可能にする。
【０１０６】
これにより、ユーザは個々の半田付け装置８０、８２を補正することができる。例えば、こて先３８の劣化により、カートリッジ２６が交換された場合に、交換前のカートリッジ２６と交換後のカートリッジ２６において、一体型ヒータ／センサ３６の抵抗値が異なることにより、異なる温度が出力されるようになったとき、補正がされる。スマートデバイス１２および本発明のアプリを用いて、スマートデバイス１２は、温度計５０によって感知されたこて先温度を読み取り、ＣＰＵ９０から設定こて先温度を取得し、そして温度計５０によって測定された実際のこて先温度が、ＣＰＵ９０によって提供された設定温度と一致するかどうかを判定する。スマートデバイス１２が、温度計５０によって測定された実際のこて先温度とＣＰＵ９０によって提供される設定温度との間の差を識別した場合、スマートデバイス１２のアプリは、所望のこて先温度を得るために、必要に応じて特定のオフセット量だけカートリッジ２６への電力出力を調整するようにユーザがＣＰＵ９０に指示することを可能にする。その後、ＣＰＵ９０は、特定のカートリッジ２６の今後の使用のためにオフセット仕様を保持することができる。例を続けると、温度計５０がこて先温度が実際には２９０℃であると判断した場合、スマートデバイス１２は、１０℃の上方調整に必要なレベルでカートリッジ２６に供給される電力を増加させるようにＣＰＵ９０に命令する。
【０１０７】
半田付け装置８０、８２とスマートデバイス１２との間で半田付け装置８０、８２の動作パラメータのやり取りをすることができる。動作パラメータのやり取りにより、スマートデバイス１２を用いた半田付け装置８０、８２の制御ができる。例えば、ユーザは、半田付け装置８０、８２のこて先温度の設定温度（動作パラメータの例）をスマートデバイス１２に表示された設定画面（入力画面）に入力し、スマートデバイス１２は、入力された設定温度を示す情報を無線通信で半田付け装置８０、８２に送ることができる。半田付け装置８０、８２のＣＰＵ９０は、この情報が示す設定温度に、こて先３８の温度を制御する。
【０１０８】
これについて詳しく説明する。図４Ｂは、スマートデバイス１２を用いて半田付け装置８０、８２のこて先温度（こて先３８の温度）を設定する動作を説明する説明図である。図３、図４Ａおよび図４Ｂを参照して、スマートデバイス１２と半田付け装置８０、８２との間には、無線通信のリンクか確立している。ユーザは、スマートデバイス１２を操作して、こて先温度の設定画面を表示する命令を入力する（Ｓ１１）。これにより、スマートデバイス１２のコンピュータは、こて先温度の設定画面（半田こての設定温度の設定画面）をスマートデバイス１２のディスプレイに表示させる（Ｓ１２）。
【０１０９】
ユーザは、スマートデバイス１２を操作して、こて先温度の設定画面に、こて先３８の設定温度を入力して、こて先温度を設定する（Ｓ１３）。ユーザは、スマートデバイス１２を操作して、設定されたこて先温度を送信する命令を入力する（Ｓ１４）。これにより、スマートデバイス１２は、設定されたこて先温度を示す情報を無線通信で半田付け装置８０、８２に送信する（Ｓ１５）。
【０１１０】
半田付け装置８０、８２の無線通信回路９５は、スマートデバイス１２から送信されてきた、設定されたこて先温度を示す情報を受信する（Ｓ２１）。ＣＰＵ９０は、無線通信回路９５が受信した情報が示すこて先温度にこて先３８の温度を制御する（Ｓ２２）。
【０１１１】
処理Ｓ１５の後、スマートデバイス１２は、処理Ｓ１３で設定されたこて先温度とこの設定がされた日時とを紐づけた情報を記録する（Ｓ１６）。なお、スマートデバイス１２がこの情報を記録せずに、ホストマシン４０がこの情報を記録する場合、スマートデバイス１２は、この情報をホストマシン４０に送信する。
【０１１２】
動作パラメータのやり取りにより、スマートデバイス１２を用いた半田付け装置８０、８２の監視ができる。例えば、半田付け装置８０、８２は、一体型ヒータ／センサ３６（半田こてに内蔵された温度センサ）が測定したこて先３８の温度の測定値（動作パラメータの例）を示す情報を無線通信でスマートデバイス１２に送ることができる。スマートデバイス１２は、この情報が示す測定値の画面を表示する。
【０１１３】
これについて詳しく説明する。図４Ｃは、スマートデバイス１２を用いて半田付け装置８０、８２のこて先温度（こて先３８の温度）の測定値を取得・記録する動作を説明する説明図である。図３、図４Ａおよび図４Ｃを参照して、スマートデバイス１２と半田付け装置８０、８２との間には、無線通信のリンクか確立している。ユーザは、スマートデバイス１２を操作して、こて先温度の測定値を要求する命令を入力する（Ｓ３１）。これにより、スマートデバイス１２のコンピュータは、この命令を半田付け装置８０、８２に無線通信で送信する（Ｓ３２）。
【０１１４】
半田付け装置８０，８２の無線通信回路９５は、処理Ｓ３２で送信されてきた命令を受信する（Ｓ４１）。ＣＰＵ９０は、無線通信回路９５が受信した命令に従って、一体型ヒータ／センサ３６の出力を基にして、こて先３８の温度の測定値を算出する（Ｓ４２）。ＣＰＵ９０は、測定値と測定日時とを紐づけた情報を生成し、この情報を無線通信回路９５に送信させる（Ｓ４３）。
【０１１５】
スマートデバイス１２は、処理Ｓ４３で送信されてきた情報を受信する（Ｓ３３）。スマートデバイス１２は、処理Ｓ３３で受信した情報（こて先温度の測定値と測定日時を紐づけた情報）を記録する（Ｓ３４）。なお、スマートデバイス１２がこの情報を記録せずに、ホストマシン４０がこの情報を記録する場合、スマートデバイス１２は、この情報をホストマシン４０に送信する。
【０１１６】
図５は、スマートデバイス１２内にインストールされたプログラムアプリケーション（アプリ）によって生成された画面表示の進行を示している。スマートデバイス１２内のアプリの起動はブロック１００で表されている。アプリが起動されると、スマートデバイス１２のディスプレイは、ホーム画面ブロック１０２によって表されるように、ユーザが半田付け装置８０、８２または半田付けシステム１０を制御または監視するために選択することができるデータ管理オプションを表示する。
【０１１７】
例えば、スマートデバイス１２は、「測定項目を選択する」という指示と、「温度」、「半田こて、温度」、および「半田こて、測定者、温度」という３つのオプション選択とを表示することができる（温度はこて先温度であり、所定のデータの例である）。各オプションは、スマートデバイス１２のタッチ画面機能、あるいはマウスまたはキーボード機能を使用してユーザがオプションを選択できるように強調表示され表示される。すなわち、端末装置（スマートデバイス１２）のコンピュータは、測定装置（温度計５０）が測定した所定のデータを記録する第１モードを選択するボタン、所定のデータと半田こての識別情報とを紐づけた情報を記録する第２モードを選択するボタン、並びに、所定のデータと半田こての識別情報と所定のデータの測定者の識別情報とを紐づけた情報を記録する第３モードを選択するボタンを含む画面を、端末装置（スマートデバイス１２）に表示させる。ユーザ（以下、図５の説明において、ユーザは測定者を意味する）はオプションを選択し、そしてディスプレイは選択されたオプションに対応する別の表示であるブロック１０４の「温度」、またはブロック１０６の「半田こてを読む」に進む。
【０１１８】
温度ブロック１０４において、スマートデバイス１２は、温度計５０からの温度読み取り値（こて先温度の測定値）を受信するのを待つ。温度は、温度計５０からの無線信号送信を介して、または温度計５０への有線接続を介してスマートデバイス１２に入力され得る。スマートデバイス１２が温度信号を受信すると、スマートデバイス１２は温度と測定日時を表示し、記録する。スマートデバイス１２は、また、「登録」および「クリア」アイコン（ボタン）を表示する。ユーザが「登録」アイコンを選択すると、温度測定データ（時間および温度）をスマートデバイス１２または図１Ａのホストマシン４０内のデータベースに記録することを可能にする。ユーザが「クリア」アイコンを選択すると、スマートデバイス１２は温度測定データをクリアし、温度計５０からの別の温度測定値を受け取ることを可能にする。
【０１１９】
ユーザがホーム画面ブロック１０２で「半田こて、温度」または「半田こて、測定者、温度」のアイコンのいずれかを選択した場合、スマートデバイス１２は「半田こてを読む」ブロック１０６に進む。ブロック１０６では、ユーザは「半田こてを読む」アイコンを選択して、スマートデバイス１２をブロック１０８の「スキャンＱＲコード」表示に進ませる。「スキャンＱＲコード」表示では、スマートデバイス１２は「半田こてのＱＲコードを枠内に合わせる」という指示を出す。この指示の上にＱＲコード読取枠１０８ａがある。ユーザは、ＱＲコードをＱＲコード読取枠１０８ａに入れた状態で、スマートデバイス１２のカメラにＱＲコードを読み取らせる。すなわち、ユーザがスマートデバイス１２のカメラを半田付け装置８０、８２のＱＲコードに位置合わせすると、カメラ画像はスマートデバイス１２によって処理されてＱＲコードを読み取り、アプリ内のコードのデータベースを参照することによって、スマートデバイス１２は半田付け装置８０、８２または少なくとも半田付け装置８０、８２の種類を識別する。
【０１２０】
ホーム画面でユーザが「半田こて、温度」アイコンを選択した場合、ＱＲコードを読んだ後、プログラムは登録画面ブロック１１０に進み、そこでスマートデバイス１２は温度計５０に問い合わせて受信された半田こての温度（こて先温度）の測定値を取得し、ＱＲコードから取得した装置識別子（ＩＤ）、日付と時刻の情報（日時の情報）とともに温度を表示する。ブロック１１０の登録画面で、ユーザは、「登録」アイコン（ボタン）および「クリア」アイコン（ボタン）から選択して、「登録」アイコンにより、温度、時間および装置データをスマートデバイス１２内のデータベースまたは図１Ａのホストマシン４０に記録し、または「クリア」アイコンにより、新しい温度測定値が得られるように温度データを消去する。ブロック１０２のホーム画面に戻るために、ユーザは「ホーム」アイコンを選択することもできる。
【０１２１】
ホーム画面でユーザが「半田こて、測定者、温度」アイコンを選択した場合、スキャンＱＲコード画面ブロック１０８から、スマートデバイス１２はブロック１１２の「測定者読み取り画面」に進む。測定者読み取り画面ではスマートデバイス１２は「測定者読み取り」アイコンを表示する。ユーザが「測定者読み取り」アイコンを選択すると、スマートデバイス１２は、ブロック１１４に示すように「測定者のＱＲコードをスキャンする」画面に進む。「測定者のＱＲコードをスキャンする」表示では、スマートデバイス１２は「測定者のＱＲコードを枠内に合わせる」指示を出す。この指示の上にＱＲコード読取枠１１４ａがある。ユーザは、自分のＱＲコードをＱＲコード読取枠１１４ａに入れた状態で、スマートデバイス１２のカメラにＱＲコードを読み取らせる。スマートデバイス１２は、スマートデバイス１２に備えらえるユーザデータベースを用いて、読み取られたＱＲコードが割り当てられたユーザを識別する。
【０１２２】
スマートデバイス１２は次に「登録画面」ブロック１１６に進む。「登録画面」において、スマートデバイス１２は、温度、測定の日時、半田付け装置８０、８２の識別子（ＩＤ）、およびユーザの識別子（ＩＤ）に含まれるユーザ名を表示する。スマートデバイス１２のディスプレイは、「登録」アイコンと「クリア」アイコンをさらに含む。「登録」アイコンを選択することによって、温度、測定の日時、半田付け装置８０、８２の識別子（ＩＤ）、およびユーザの識別子（ＩＤ）がスマートデバイス１２内のデータベースまたは図１Ａのホストマシン４０に記録される。「クリア」アイコンを選択することによって、温度測定データはクリアされ、スマートデバイス１２は温度計５０からの新たな読み取り値で温度データをリフレッシュする。スマートデバイス１２はまた、「登録画面」内に「ホーム」アイコンを含み、ユーザがスマートデバイス１２をブロック１０２のホーム画面に戻すことを可能にする。
【０１２３】
図５に示す実施形態では、「温度」モード、「半田こて、温度」モード、および「半田こて、測定者、温度」モードの中から選択されるが、これに限定されない。「温度」モードおよび「半田こて、温度」モードの中から選択される実施形態、「半田こて、温度」モードおよび「半田こて、測定者、温度」モードの中から選択される実施形態、「温度」モードおよび「半田こて、測定者、温度」モードの中から選択される実施形態も可能であるし、いずれかのモードのみの実施形態も可能である。同様のことが、図６に示す実施形態、図８に示す実施形態、図９に示す実施形態についても言える。  
【０１２４】
スマートデバイス１２のアプリおよびプログラムは、半田付けシステム１０のユーザが最も重要なこて先温度データを含む半田付けシステム１０の動作を監視して、半田付けシステム１０、特に摩耗や損傷しやすいこて先の性能劣化である欠陥を識別することを可能にする。スマートデバイス１２はまた、改善された品質管理および半田付けプロセスの均一性を提供するために、作業環境内の多数の異なる半田付け装置８０、８２の動作を監視して監督者によって使用されてもよい。
【０１２５】
上記の説明は、スマートデバイス１２用のアプリの基本機能を提供する。本発明はさらに、カートリッジ２６において、スマートデバイス１２を使用して半田付け装置８０、８２の動作パラメータを制御し、半田付けシステム１０のそれぞれの構成要素、特に半田付けについての動作使用データを記録および維持する機能を含む、アプリの機能強化を企図する。動作データは、図１Ａのスマートデバイス１２またはホストマシン４０内に格納することができる。
【０１２６】
図６は、スマートデバイスアプリのための例示的なプログラムロジックを示すフローチャートを提供する。図６のフローチャートに示されるプログラムは、ユーザ（以下、図６の説明において、ユーザは測定者を意味する）がスマートデバイス１２の半田付け制御アプリを開くと開始ブロック２００で開始される。起動すると、アプリはスマートデバイス１２に「ホーム」画面ブロック２０１を起動させる。次にプログラムは判断ブロック２０２に進み、そこでユーザは、測定を設定するか否かを尋ねられる。ユーザが半田付け装置８０、８２の測定を設定することを選択した場合、プログラムはブロック２０３に進み、そこでユーザは所望のこて先温度および場合によっては温度範囲を設定するように促される。ユーザが応答した後、プログラムは判断ブロック２０４に進み、そこでユーザに測定装置（温度計５０）を識別する選択肢が提示される。ユーザが辞退した場合、プログラムはホーム画面ブロック２０１に戻る。ステップ２０４で、ユーザが測定装置を識別することを選択した場合、プログラムはステップ２０６に進み、そこで、プログラムはＱＲスキャン機能を起動して、ユーザに測定装置のＱＲコードをスキャンするように促し、そして、ホーム画面ブロック２０１に戻る。
【０１２７】
プログラムが決定ブロック２０２にあり、ユーザが温度を設定しないことを選択すると、プログラムはモード選択画面ブロック２０８に進む。モード選択画面ブロック２０８において、ユーザは制御されるべき装置および所望の動作を選択するように促される。
【０１２８】
ブロック２０８のモード選択画面は、いくつかのアイコン（ボタン）を提供し、ユーザに、アプリが提供できる所望の操作を選択することを可能にする。モード選択画面ブロック２０８は、「温度」、「半田こて、温度」、および「半田こて、測定者、温度」のアイコンを表示することができる。ユーザが選択するアイコンは、プログラムがいずれのサブルーチンに進むかどうかを決定する。サブルーチンは、ブロック２１０の温度測定を開始するモード、ブロック２２６の温度測定・半田こて管理を開始するモード、または、ブロック２２８の温度測定・半田こて管理・測定者管理を開始するモードである。
【０１２９】
ブロック２０８のモード選択画面で、ユーザが「温度」を選択した場合、プログラムはブロック２１０の温度測定を開始するモードに進む。そして、プログラムはブロック２１２の登録画面モードに進む。この登録画面は、図５に示すブロック１０４で示す画面において、日時欄と温度欄との間に測定装置ＩＤ欄がある。日時欄に測定の日時が示され、測定装置ＩＤ欄にブロック２０６で得られた測定装置（温度計５０）のＩＤ（識別情報）が示されている。温度欄は空欄である。また、スマートデバイス１２は、ブロック２１２において、スマートデバイス１２と温度計５０との間の通信リンクを確立する。
【０１３０】
そして、プログラムは、赤外線こて先温度データの受信モードのブロック２１４に進む。その時点で、スマートデバイス１２は温度計５０に問い合わせて、正確なこて先温度の測定値を得る。こて先温度データを取得した後、プログラムは、測定されたこて先温度を表示するモードのブロック２１６に進み、そこで温度計５０によって測定されたこて先温度の測定値がスマートデバイス１２上にユーザへ表示される。プログラムは次に決定ブロック２１８に進み、そこでスマートデバイス１２は温度データを登録するオプションを表示する。次に、ユーザは、温度データを保存する必要があるかどうかを決定する。ユーザがデータを保存しないことを決定した場合、ユーザは登録を拒否し、こて先温度の測定値はクリアされ、そしてプログラムはブロック２１４に戻る。決定ブロック２１８でユーザが登録を受諾すると、プログラムはデータ保存ブロック２２０に進み、そこで、こて先温度の測定データをスマートデバイス１２またはホストマシン４０（図１Ａ）に保存する。なお、温度データがステップ２０３で設定した温度範囲内であれば、プログラムは自動的にデータ保存ブロック２２０に進み、範囲外であれば、プログラムは自動的にブロック２１４に戻るようにしてもよい。保存されるデータは、測定の日時、測定装置（温度計５０）のＩＤ（識別情報）およびこて先温度の測定値を含む。データが保存された後、プログラムは決定ブロック２２２に進み、そこで、ユーザは別の半田付け装置８０、８２について、温度測定をするか（Ｙｅｓ）、しないか（Ｎｏ）を尋ねられる。ユーザが「Ｙｅｓ」を選択した場合、プログラムはブロック２１４に戻る。ユーザが「Ｎｏ」を選択した場合、プログラムはアプリ終了ブロック２２４に進み、そこでアプリはスマートデバイス１２上で閉じられる。
【０１３１】
ブロック２０８のモード選択画面で、ユーザが「半田こて、温度」を選択した場合、プログラムは温度測定開始・半田こて管理のモードのブロック２２６に進む。プログラムが「半田こて、温度」サブルーチンに入ると、プログラムは半田こてのＱＲスキャンモードのブロック２３０へ進む。この時点で、アプリはスマートデバイス１２にＱＲスキャンプログラムを開かせ、ユーザにスマートデバイス１２のカメラが半田付け装置８０、８２のＱＲコードを識別するように促し、スキャンされたＱＲコードをブロック２３２のプログラムで識別する。次に、プログラムはブロック２３４の登録画面モードに進む。この登録画面は、図５に示すブロック１１０で示す画面において、日時欄と温度欄との間に測定装置ＩＤ欄がある。日時欄に測定の日時が示され、測定装置ＩＤ欄にブロック２０６で得られた測定装置（温度計５０）のＩＤ（識別情報）が示されている。温度欄は空欄である。温度欄の下にある半田こてＩＤ欄には、ブロック２３２で識別されたＩＤが示される。また、スマートデバイス１２は、ブロック２３４において、スマートデバイス１２と温度計５０との間の通信リンクを確立する。次に、プログラムはブロック２３６の赤外線こて先温度の受信に進み、スマートデバイス１２は温度計５０から温度データを受信する。
【０１３２】
その後、プログラムは測定温度および半田こてコードを表示するモードのブロック２３８に進む。アプリは測定された温度および特定の半田付け装置８０、８２を識別するコードをスマートデバイス１２に表示する。次に、決定ブロック２４０で、ユーザはデータを登録するように促される。ユーザがデータを登録しないことを決定した場合、プログラムはブロック２３６に戻る。ユーザがデータを登録することを選択した場合、プログラムはデータの保存に進み、ブロック２４２でログファイルにデータを追加し、ブロック２３８で得られた温度データおよび対応する半田付け装置８０、８２のデータをスマートデバイス１２またはホストマシン４０（図１Ａ）のメモリに保存する。なお、温度データがステップ２０３で設定した温度範囲内であれば、プログラムは自動的にブロック２４２に進み、範囲外であれば、プログラムは自動的にブロック２３６に戻るようにしてもよい。保存されるデータは、測定の日時、測定装置（温度計５０）のＩＤ（識別情報）、こて先温度の測定値、および、半田こて（半田付け装置８０、８２）のＩＤ（識別情報）を含む。ブロック２４２でデータが保存された後、プログラムは、再度測定決定ブロック２４４に進む。次に、ユーザは別の測定を行うことを選択し、それに応じてプログラムはブロック２３０に戻るか、ユーザは別の測定を行わないことを選択し、プログラムはアプリ終了ブロック２２４に進む。
【０１３３】
ブロック２０８のモード選択画面で、ユーザが「半田こて、測定者、温度」を選択した場合、プログラムは、温度測定開始・半田こての管理・測定者管理のモードのブロック２２８に進む。ユーザが次に「半田こて、測定者、温度」サブルーチンに進んだ時、プログラムはブロック２５０の半田こてＱＲスキャンモードに進む。この時点で、アプリはスマートデバイス１２にそのＱＲスキャンプログラムを開かせ、ユーザにスマートデバイス１２のカメラが半田付け装置８０、８２のＱＲコードを識別するように促し、次にブロック２５２で、スキャンされたＱＲコードをプログラムに対して識別する。次にプログラムはユーザのＱＲスキャンのブロック２５４に進む。この時点で、アプリはスマートデバイス１２にそのＱＲスキャンプログラムを再度開かせ、ユーザのＱＲコードをスマートデバイス１２のカメラに識別させるようにユーザに促す。そしてブロック２５６で、スキャンされたＱＲコードをプログラムに識別させる。ＱＲコードがスキャンされた後、プログラムはブロック２５８の登録画面モードに進む。この登録画面は、図５に示すブロック１１６で示す画面において、日時欄と温度欄との間に測定装置ＩＤ欄がある。日時欄に測定の日時が示され、測定装置ＩＤ欄にブロック２０６で得られた測定装置（温度計５０）のＩＤ（識別情報）が示されている。温度欄は空欄である。温度欄の下にある半田こてＩＤ欄には、ブロック２５２で識別されたＩＤ（識別情報）が示される。半田こてＩＤ欄の下にある測定者欄には、ブロック２５６で識別されたＩＤ（識別情報）に含まれるユーザ（測定者）の氏名が示される。また、スマートデバイス１２は、ブロック２５８において、スマートデバイス１２と温度計５０との間の通信リンクを確立する。
【０１３４】
次にプログラムは赤外線こて先温度を受信するブロック２６０に進む。そこでスマートデバイス１２は、温度計５０から温度データを受信する。プログラムは、測定温度、半田こてコード、および測定者コードの表示ブロック２６２に進む。アプリは、測定された温度と特定の半田付け装置８０、８２を識別するコード、そして測定者に関連付けられたコード（ユーザまたはユーザのワークステーション）をスマートデバイス１２上に表示する。次に、決定ブロック２６４で、ユーザはデータを登録するように促される。ユーザがデータを登録しないことを決定した場合、プログラムはブロック２６０に戻る。ユーザがデータを登録することを選択した場合、プログラムはブロック２６６でデータを保存してログファイルにデータを追加し、そこで温度データおよび対応する半田付け装置データおよび測定者データがスマートデバイス１２内またはホストマシン４０（図１Ａ）のメモリに保存される。なお、温度データがステップ２０３で設定した温度範囲内であれば、プログラムは自動的にブロック２６６に進み、範囲外であれば、プログラムは自動的にブロック２６０に戻るようにしてもよい。保存されるデータは、測定の日時、測定装置（温度計５０）のＩＤ（識別情報）、こて先温度の測定値、半田こて（半田付け装置８０、８２）のＩＤ（識別情報）、および、測定者のＩＤ（識別情報）を含む。ブロック２６６でデータが保存された後、プログラムは決定測定ブロック２６８へ進む。次に、ユーザは別の測定をすることを選択し、それに応じてプログラムはブロック２５０に戻るか、またはユーザは別の測定を行わないことを選択してプログラムはアプリ終了ブロック２２４に進む。
【０１３５】
測定対象が図４Ａに示す半田付け装置８０、８２のこて先温度を例にして説明したが、図１Ａに示す半田付けシステム１０に備えらえる半田こて（ハンドル２４とカートリッジ２６）のこて先温度を測定対象にしてもよい。
【０１３６】
半田付け装置８０、８２のユーザが測定者である場合で説明したが、半田付け装置８０、８２のユーザと測定者とが異なる場合もある。この場合、ブロック２５４、２５６で測定者のＱＲコードのスキャンと識別を、スマートデバイス１２に実行させ、その後、ユーザのＱＲコードまたはこのユーザのワークステーションのＱＲコードのスキャンと識別を、スマートデバイス１２に実行させる。ユーザのＱＲコードまたはこのユーザのワークステーションのＱＲコードも上記保存されるデータに含まれる。
【０１３７】
図７Ａは、静電放電（ＥＳＤ）安全装置を備えたワークステーションの半田付けシステム１０を示す。ワークステーションはＥＳＤセーフ作業マット１６およびＥＳＤセーフ床マット１８を備えたテーブル１４を含む。ワークステーションの半田付けシステム１０は、図１Ａに関して上述したように、制御ステーション２０、ケーブルアセンブリ２２、カートリッジ２６を備えたハンドル２４を含む。ワークステーション上では、作業マット１６および床マット１８は電気的アースに電気的に接続されている。半田付けシステム１０のユーザは、ＥＳＤセーフ服１２０を着用し、リストストラップ１２２と帯電防止靴１２４を着用するように示されている。制御ステーション２０に加えて、温度、こて先-アース間抵抗およびリーク電圧を検出する検出装置１３０やリストストラップテスタ１３２およびイオナイザーファン１３４もテーブル１４上にある。図７Ａにおいて、リストストラップ１２２はアースされているが、リストストラップ-アース間抵抗が測定される場合、リストストラップ１２２とアースとを接続する配線がアースから外されて、リストストラップテスタ１３２に接続される。
【０１３８】
検出装置１３０（測定装置）は、半田付けシステム１０に備えられる半田こて（ハンドル２４とカートリッジ２６）について、こて先温度、こて先-アース間抵抗およびリーク電圧を測定する。こて先-アース間抵抗は、こて先３８とアースとの間の抵抗である。リーク電圧（半田こてのリーク電圧）は、こて先３８からのリーク電流で生じる電圧である。測定対象は、半田付けシステム１０に備えらえる半田こてに限らず、例えば、図４Ａに示す半田付け装置８０、８２を測定対象にしてもよい。
【０１３９】
図７Ｂは、検出装置１３０の電気的構成を示すブロック図である。検出装置１３０は、温度センサ１３０１と、抵抗測定回路１３０２と、電圧測定回路１３０３と、無線通信インターフェース１３０４と、マイコン１３０５と、を備える。
【０１４０】
温度センサ１３０１は、例えば、熱電対であり、こて先温度の測定に用いられる。抵抗測定回路１３０２は、こて先-アース間抵抗の測定に用いられる。リーク電流の大部分は、こて先３８からアース線を経て、コンセントのアースターミナルに流れる。これにより、電子部品への悪影響を防止できる。よって、こて先-アース間抵抗の管理は重要である。電圧測定回路１３０３は、リーク電圧の測定に用いられる。リーク電圧は、こて先３８から、ワーク（基板、電子部品）に漏れるリーク電流で生じる電圧である。リーク電圧は、リーク電流のレベルを具体的に示している。リーク電流は、電子部品に悪影響を与えるので、リーク電圧の管理は重要である。
【０１４１】
無線通信インターフェース１３０４は、ブルートゥース規格に従った通信方式によって、スマートデバイス１２と無線通信する機能を有する。通信方式は、ブルートゥース規格に限らず、例えば、赤外線通信規格でもよい。マイコン１３０５は、検出装置１３０の機能を実現するための各種の処理および制御をする。
【０１４２】
リストストラップテスタ１３２（測定装置）は、リストストラップ１２２とアースとの間の抵抗（リストストラップ抵抗）を測定することにより、リストストラップの故障（リストストラップ１２２の断線）やリストストラップ１２２の装着の不具合を検知する。なお、正確に言えば、リストストラップテスタ１３２は、リストストラップ１２２を装着したユーザとアースとの間の抵抗（ユーザおよびリストストラップ１２２の抵抗）を測定する。
【０１４３】
図７Ｃは、リストストラップテスタ１３２の電気的構成を示すブロック図である。リストストラップテスタ１３２は、抵抗測定回路１３２１と、無線通信インターフェース１３２２と、マイコン１３２３と、を備える。
【０１４４】
抵抗測定回路１３２１は、リストストラップ１２２とアースとの間の抵抗の測定に用いられる。無線通信インターフェース１３２２は、ブルートゥース規格に従った通信方式によって、スマートデバイス１２と無線通信する機能を有する。通信方式は、ブルートゥース規格に限らず、例えば、赤外線通信規格でもよい。マイコン１３２３は、リストストラップテスタ１３２の機能を実現するための各種の処理および制御をする。
【０１４５】
図８および図９のプログラム論理フローチャートに関して以下に説明するように、温度、こて先-アース間抵抗およびリーク電圧を検出する検出装置１３０ならびにリストストラップテスタ１３２はＱＲコードを有し、ならびに本実施形態のアプリおよびプログラムと共に使用するための無線通信回路を備えるようにアップグレードされる。
【０１４６】
図８は、図７ＡのＥＳＤセーフ用半田付けシステム１０およびリストストラップテスタ１３２と協働するスマートデバイスアプリのための追加のプログラムロジックを図示するフローチャートである。ユーザ（以下、図８の説明において、ユーザは測定者を意味する）がスマートデバイス１２上の半田付け制御アプリを開くと、図８のフローチャートに示されるプログラムが開始ブロック３００で開始される。起動時に、アプリはスマートデバイス１２に「ホーム」画面のブロック３０１を開始させる。プログラムは次に決定ブロック３０２に進み、そこでユーザは、測定を設定するか否かを促される。ユーザが、リストストラップ-アース間抵抗（リストストラップ１２２の抵抗）の測定を設定することを選択した場合、プログラムはブロック３０３に進み、そこでユーザはリストストラップ-アース間抵抗の合格範囲を設定するように促される。ユーザが応答した後、プログラムは決定ブロック３０４に進み、ここでユーザは、測定装置（リストストラップテスタ１３２）を識別する選択肢を提示される。ユーザが辞退した場合、プログラムはホーム画面起動ブロック３０１に戻る。ステップ３０４でユーザが測定装置を識別することを選択した場合、プログラムはステップ３０６に進み、そこでＱＲスキャン機能を起動してユーザに測定装置のＱＲコードをスキャンするように促す。その後、プログラムはホームス画面起動ブロック３０１に戻る。
【０１４７】
プログラムが決定ブロック３０２にあり、ユーザが測定を設定しないことを選択すると、プログラムはモード選択画面ブロック３０８に進む。モード選択画面ブロック３０８で、ユーザは所望の動作を選択するように促される。
【０１４８】
ブロック３０８のモード選択画面は、いくつかのアイコン（ボタン）を提供して、ユーザが、アプリが提供できる所望の追加の操作を選択することを可能にする。ブロック３０８のモード選択画面は、「リストストラップ-アース間抵抗の管理」、「リストストラップ-アース間抵抗の管理、リストストラップの管理」、および「リストストラップ-アース間抵抗の管理、リストストラップの管理、測定者の管理」のアイコンを表示することができる。ユーザが選択するアイコンは、プログラムがどのサブルーチンに進むか否かを決定する。サブルーチンには、リストストラップ-アース間抵抗の管理を開始するブロック３１０と、リストストラップ-アース間抵抗の管理、リストストラップの管理を開始するブロック３２６と、リストストラップ-アース間抵抗の管理、リストストラップの管理、測定者の管理を開始するブロック３２８と、がある。
【０１４９】
ブロック３０８のモード選択画面で、ユーザが「リストストラップ-アース間抵抗の管理」を選択した場合、プログラムは、リストストラップ-アース間抵抗の管理開始モードのブロック３１０に進む。次にプログラムは登録画面モードのブロック３１２に進み、そこでプログラムはスマートデバイス１２とリストストラップテスタ１３２間の通信リンクを確立する。この登録画面は、日時欄、測定装置ＩＤ欄、および、リストストラップ-アース間抵抗欄を含む。日時欄に測定の日時が示され、測定装置ＩＤ欄にブロック３０６で得られた測定装置（リストストラップテスタ１３２）のＩＤが示されている。リストストラップ-アース間抵抗欄は空欄である。プログラムはリストストラップテスタ１３２から赤外線測定データを受信するブロック３１４に進む。その時点で、スマートデバイス１２は、リストストラップ-アース間抵抗の測定値を得るためにリストストラップテスタ１３２に問い合わせる。リストストラップ-アース間抵抗の測定値を得た後、プログラムは、この測定値の表示画面のブロック３１６に進み、そこでスマートデバイス１２に、リストストラップ-アース間抵抗の測定値がユーザに対して表示される。次にプログラムは決定ブロック３１８に進み、リストストラップ-アース間抵抗の測定値が、ブロック３０３で設定した合格範囲内か否かを判断する。リストストラップ-アース間抵抗の測定値が合格範囲外の場合、プログラムはブロック３１４に戻る。リストストラップ-アース間抵抗の測定値が合格範囲内の場合、スマートデバイス１２は、リストストラップ-アース間抵抗の測定値を登録するオプションを表示する。次に、ユーザは、リストストラップ-アース間抵抗の測定値データを保存する必要があるかどうかを決定する。ユーザがデータを保存しないことを決定した場合、ユーザは登録を拒否し、リストストラップ-アース間抵抗の測定値はクリアされ、プログラムはブロック３１４に戻る。決定ブロック３１８でユーザが登録を受け入れる場合、プログラムはデータ保存のブロック３２０に進む。ここで、リストストラップ-アース間抵抗の測定値データは、スマートデバイス１２またはホストマシン４０（図１Ａ）に保存される。保存されるデータは、測定の日時、測定装置（リストストラップテスタ１３２）のＩＤ、および、リストストラップ-アース間抵抗の測定値を含む。データが保存された後、プログラムは判断ブロック３２２に進み、そこでユーザは別のリストストラップ１２２について、リストストラップ-アース間抵抗の測定を行うか（Ｙｅｓ）、行わないか（Ｎｏ）が問われる。ユーザが「Ｙｅｓ」を選択した場合、プログラムはブロック３１４に戻る。ユーザが「Ｎｏ」を選択した場合、プログラムはアプリ終了ブロック３２４に進み、そこでアプリはスマートデバイス１２上で閉じられる。
【０１５０】
ブロック３０８のモード選択画面でユーザが「リストストラップ-アース間抵抗の管理、リストストラップの管理」を選択した場合、プログラムは、リストストラップ-アース間抵抗の管理、リストストラップ管理のモードを開始するブロック３２６に進む。
【０１５１】
その後、プログラムがリストストラップ-アース間抵抗の管理、リストストラップ管理を開始するサブルーチンに入ると、プログラムはリストストラップ１２２のＱＲスキャン起動モードのブロック３３０に進む。ブロック３３２で、アプリはスマートデバイス１２にＱＲスキャンプログラムを開かせ、スマートデバイス１２のカメラでリストストラップ１２２のＱＲコードを識別するようにユーザに促し、次にプログラムはスキャンされたＱＲコードを識別する。次に、プログラムはブロック３３４で登録画面に進み、そこでプログラムはスマートデバイス１２とリストストラップテスタ１３２との間の通信リンクを確立する。この登録画面は、日時欄、測定装置ＩＤ欄、リストストラップ-アース間抵抗欄、および、リストストラップＩＤ欄を含む。日時欄に測定の日時が示され、測定装置ＩＤ欄にブロック３０６で得られた測定装置（リストストラップテスタ１３２）のＩＤが示されている。リストストラップ-アース間抵抗欄は空欄である。リストラップＩＤ欄にブロック３３２で得られたリストストラップ１３２のＩＤが示されている。次に、プログラムはリストストラップテスタ１３２から赤外線測定データを受信するブロック３３６に進み、スマートデバイス１２はリストストラップテスタ１３２からリストストラップ-アース間抵抗の測定値データを受信する。その後、プログラムはブロック３３８の測定値およびリストストラップコードの表示モードに進む。アプリはスマートデバイス１２に、リストストラップ-アース間抵抗の測定値およびリストストラップ１２２を識別するコード（ＩＤ）を表示する。次に、プログラムは決定ブロック３４０に進み、リストストラップ-アース間抵抗の測定値が、ブロック３０３で設定した合格範囲内か否かを判断する。リストストラップ-アース間抵抗の測定値が合格範囲外の場合、プログラムはブロック３３６に戻る。リストストラップ-アース間抵抗の測定値が合格範囲内の場合、ユーザは、データ（リストストラップ-アース間抵抗、リストストラップ１２２の識別コード）の登録を促される。ユーザがデータを登録しないことを決定した場合、データはクリアされ、次いでプログラムはブロック３３６に戻る。ユーザがデータを登録することを選択した場合、プログラムはブロック３４２でデータの保存およびログファイルへのデータの追加に進む。ブロック３３８で得られたリストストラップ-アース間抵抗の測定値および対応するリストストラップ１２２の識別コード（ＩＤ）は、スマートデバイス１２内のメモリまたはホストマシン４０（図１Ａ）に保存される。保存されるデータは、測定の日時、測定装置（リストストラップテスタ１３２）のＩＤ、リストストラップ-アース間抵抗の測定値、および、リストストラップ１２２のＩＤを含む。データがブロック３４２で保存された後、プログラムは再測定決定ブロック３４４に進む。次に、ユーザは別の測定を行うことを選択し、それに応じてプログラムはブロック３３０に戻るか、ユーザは別の測定を行わないことを選択し、プログラムはアプリ終了ブロック３２４に進む。
【０１５２】
ブロック３０８のモード選択画面で、ユーザが「リストストラップ-アース間抵抗の管理、リストストラップの管理、測定者の管理」を選択した場合、プログラムは、リストストラップ-アース間抵抗の管理、リストストラップの管理、測定者の管理を開始するモードのブロック３２８に進む。次に、「リストストラップ-アース間抵抗管理、リストストラップ管理、測定者管理」のサブルーチンに入ると、プログラムはリストストラップ１２２のＱＲスキャン起動のブロック３５０に進む。
【０１５３】
ブロック３５２で、アプリはスマートデバイス１２にそのＱＲスキャンプログラムを開かせ、スマートデバイス１２のカメラへリストストラップ１２２のＱＲコードを識別するようにユーザに促し、次にスキャンされたＱＲコードを識別する。プログラムはユーザのＱＲスキャン起動のブロック３５４に進む。この時点で、アプリはスマートデバイス１２にＱＲスキャンプログラムを再度開かせ、ユーザのＱＲコードをスマートデバイス１２のカメラに識別させるようユーザに促す。そして、ブロック３５６において、スキャンされたＱＲコードを識別する。ＱＲコードがスキャンされた後、プログラムは登録画面起動のブロック３５８に進み、そこでプログラムはスマートデバイス１２とリストストラップテスタ１３２間の通信リンクを確立する。この登録画面は、日時欄、測定装置ＩＤ欄、リストストラップ-アース間抵抗欄、リストストラップＩＤ欄および測定者欄を含む。日時欄に測定の日時が示され、測定装置ＩＤ欄にブロック３０６で得られた測定装置（リストストラップテスタ１３２）のＩＤが示されている。リストストラップ-アース間抵抗欄は空欄である。リストラップＩＤ欄にブロック３５２で得られたリストストラップ１３２のＩＤが示されている。測定者欄にブロック３５６で得られたユーザのＩＤに含まれるユーザの氏名が示されている。次に、プログラムはリストストラップ-アース間抵抗受信のブロック３６０に進み、スマートデバイス１２はリストストラップテスタ１３２からリストストラップ-アース間抵抗の測定値データの赤外線信号を受信する。次に、プログラムは測定値、リストストラップコードおよびユーザコードをスマートデバイス１２に表示させるブロック３６２に進む。次に、プログラムは決定ブロック３６４に進み、リストストラップ-アース間抵抗の測定値が、ブロック３０３で設定した合格範囲内か否かを判断する。リストストラップ-アース間抵抗の測定値が合格範囲外の場合、プログラムはブロック３６０に戻る。リストストラップ-アース間抵抗の測定値が合格範囲内の場合、ユーザはデータ（リストストラップ-アース間抵抗の測定値、リストストラップ１２２の識別コード（ＩＤ）、ユーザの識別コード（ＩＤ））を登録するように促される。ユーザがデータを登録しないことを決定した場合、データはクリアされ、その後、プログラムはブロック３６０に戻る。ユーザがデータの登録を選ぶと、それからプログラムはブロック３６６でデータを保存してログファイルにデータを追加し、そこで抵抗値、リストストラップコードおよびユーザコードのデータがスマートデバイス１２またはホストマシン４０（図１Ａ）内のメモリに保存される。保存されるデータは、測定の日時、測定装置（リストストラップテスタ１３２）のＩＤ（識別情報）、リストストラップ-アース間抵抗の測定値、リストストラップ１２２のＩＤ（識別情報）およびユーザ（測定者）のＩＤ（識別情報）を含む。ブロック３６６でデータが保存された後、プログラムは測定決定ブロック３６８に進む。ユーザが別の測定を行うことを選択すると、それに応じてプログラムはブロック３５０に戻る。ユーザが別の測定を行わないことを選択すると、プログラムはアプリ終了ブロック３２４に進む。リストストラップ１２２の監視に関連するこのプログラムは、図７Ａの帯電防止靴１２４、作業マット１６またはフロアマット１８を監視するように変更することができることを理解されたい。
【０１５４】
図７Ａに示すワークステーション（静電放電安全装置を備えたワークステーションの半田付けシステム１０）のユーザが測定者である場合で説明したが、ユーザと測定者とが異なる場合もある。この場合、ブロック３５４、３５６で測定者のＱＲコードのスキャンと識別を、スマートデバイス１２に実行させ、その後、ユーザのＱＲコードまたはこのユーザのワークステーションのＱＲコードのスキャンと識別を、スマートデバイス１２に実行させる。ユーザのＱＲコードまたはこのユーザのワークステーションのＱＲコードも上記保存されるデータに含まれる。
【０１５５】
図９は、スマートデバイスアプリが、図７Ａの検出装置１３０（安全装置、測定装置）と共に動作するための別の追加のプログラムロジックを示すフローチャートを提供する。検出装置１３０は、こて先温度、こて先-アース間抵抗およびリーク電圧を検出する。ユーザ（以下、図９の説明において、ユーザは測定者を意味する）がスマートデバイス１２の半田付け制御アプリを開くと、図９のフローチャートに示されるプログラムは開始ブロック４００で開始される。起動すると、アプリはブロック４０１でスマートデバイス１２に「ホーム」画面を起動させる。次にプログラムは決定ブロック４０２に進み、そこでユーザは温度および測定値を設定するように促される。ユーザが半田付け装置８０、８２の温度および測定値を設定することを選択した場合、プログラムはブロック４０３に進み、そこでユーザは、こて先温度、こて先温度の範囲、最大リーク電圧および最大こて先-アース間抵抗をそれぞれ設定するように促される。ユーザが応答した後、プログラムは決定ブロック４０４に進み、そこでユーザに測定装置（検出装置１３０）を識別する選択肢が提示される。ユーザが拒否した場合、プログラムはホーム画面起動のブロック４０１に戻る。ステップ４０４において、ユーザは測定装置、例えば検出装置１３０を識別することを選択した場合、プログラムはステップ４０５に進み、そこでプログラムは測定装置のＱＲコードをスキャンするようにＱＲスキャン機能を起動し、プログラムはホーム画面起動のブロック４０１に戻る。
【０１５６】
プログラムが決定ブロック４０２にあり、ユーザが温度および測定値を設定しないことを選択した場合、プログラムはモード選択画面ブロック４０６に進む。モード選択画面ブロック４０６で、ユーザは所望の動作を選択するように促される。
【０１５７】
ブロック４０６のモード選択画面は、次に、アプリが提供することができる所望の追加の操作をユーザが選択することを可能にするいくつかのアイコンを提供する。ブロック４０６のモード選択画面は、「温度測定」、「温度測定、半田こての管理」、および「温度測定、半田こての管理、測定者の管理」のアイコンを表示することができる。図９で説明する温度測定とは、こて先温度、こて先-アース間抵抗およびリーク電圧の測定を意味する。なお、ユーザが、これらの中から一つまたは二つを選択して測定をする場合にも、図９で説明する実施形態は適用することができる。
【０１５８】
ユーザが選択したアイコンによって、プログラムが温度測定ブロック４０８か、温度測定、半田こて管理ブロック４２６もしくは温度測定、半田こて管理、測定者管理ブロック４５０のいずれかのサブルーチンに進むかが決まる。
【０１５９】
ブロック４０６のモード選択画面でユーザが「温度測定」を選択した場合、プログラムはブロック４０８の測定開始モードに進む。次にプログラムは登録画面起動モードのブロック４１０に進み、そこでプログラムはスマートデバイス１２と検出装置１３０との間の通信リンクを確立する。この登録画面は、日時欄、測定装置ＩＤ欄、温度欄、こて先-アース間抵抗欄およびリーク電圧欄を含む。日時欄に測定の日時が示され、測定装置ＩＤ欄にブロック４０５で得られた測定装置（検出装置１３０）のＩＤが示されている。温度欄、こて先-アース間抵抗欄およびリーク電圧欄は空欄である。プログラムは、赤外線こて先温度受信モードのブロック４１２に進む。その時点で、スマートデバイス１２は、検出装置１３０に問い合わせて、こて先温度の測定値を取得する。こて先温度を取得した後、プログラムは、検出装置１３０に問い合わせて、ブロック４１４において、リーク電圧の測定値を取得する。次に、プログラムは、検出装置１３０に問い合わせて、ブロック４１６において、こて先-アース間抵抗の測定値を取得する。３つの測定値を得た後、プログラムは表示ブロック４１８に進み、スマートデバイス１２に、こて先温度の測定値、リーク電圧の測定値およびこて先-アース間抵抗の測定値を表示させる。プログラムは次に決定ブロック４２０に進み、そこでスマートデバイス１２はデータを登録するオプションを表示する。プログラムは、３つの測定値が、ブロック４０３で設定した範囲内にあるか否かを判断する。測定値の少なくとも一つが設定範囲内にない場合、プログラムはブロック４１２に戻る。３つの測定値が設定範囲内にある場合、プログラムはデータ保存ブロック４２２に進み、そこで、こて先温度の測定値データ、リーク電圧の測定値データおよびこて先-アース間抵抗の測定値データはスマートデバイス１２またはホストマシン４０（図１Ａ）に保存される。保存されるデータは、測定の日時、測定装置（検出装置１３０）のＩＤ、および、３つの測定値を含む。データが保存された後、プログラムは決定ブロック４２４に進み、そこでユーザは別の半田付け装置８０、８２について、測定をするか（Ｙｅｓ）、しないか（Ｎｏ）、を尋ねられる。ユーザがＹｅｓを選択した場合、プログラムはブロック４１２に戻る。
【０１６０】
ユーザがＮｏを選択した場合、プログラムはアプリ終了ブロック４２５に進み、そこでアプリがスマートデバイス１２上で閉じられる。
【０１６１】
ブロック４０６のモード選択画面で、ユーザが「温度測定、半田こて管理」を選択した場合、プログラムは温度測定、半田こて管理を開始するモードのブロック４２６に進む。プログラムが、温度測定、半田こて管理を開始するサブルーチンに入ると、プログラムはブロック４２８で半田こてのＱＲスキャン起動モードに進む。ブロック４３０で、アプリはスマートデバイス１２にそのＱＲスキャンプログラムを開かせ、それはユーザにスマートデバイス１２のカメラが半田こてのＱＲコードを識別するように促し、次にスキャンされたＱＲコードを識別する。次に、プログラムは登録画面起動のブロック４３２に進み、そこでプログラムはスマートデバイス１２と検出装置１３０との間の通信リンクを確立する。この登録画面は、日時欄、測定装置ＩＤ欄、温度欄、こて先-アース間抵抗欄、リーク電圧欄、および、半田こてＩＤ欄を含む。日時欄に測定の日時が示され、測定装置ＩＤ欄にブロック４０５で得られた測定装置（検出装置１３０）のＩＤが示されている。温度欄、こて先-アース間抵抗欄およびリーク電圧欄は空欄である。半田こてＩＤ欄にブロック４３０で得られた半田付け装置８０、８２のＩＤが示されている。次に、プログラムは、ブロック４３４において、検出装置１３０からこて先温度の測定データを受信するステップに進み、スマートデバイス１２は、こて先温度の測定値を受信する。次にプログラムはブロック４３６に進み、検出装置１３０からリーク電圧の測定値を取得する。次にプログラムはブロック４３８に進み、検出装置１３０からこて先-アース間抵抗の測定値を取得する。次に、プログラムはデータ表示ブロック４４０に進み、ここでプログラムはスマートデバイス１２にブロック４３４、４３６および４３８で得られた測定値（こて先温度の測定値、リーク電圧の測定値およびこて先-アース間抵抗の測定値）を表示させる。次に、決定ブロック４４２において、ユーザはデータを登録するように促される。プログラムは、３つの測定値が、ブロック４０３で設定した範囲内にあるか否かを判断する。測定値の少なくとも一つが設定範囲内にない場合、プログラムはブロック４３４に戻る。３つの測定値が設定範囲内にある場合、プログラムはブロック４４４でデータを保存し、ログファイルにデータを追加する。こて先温度、こて先-アース間抵抗、リーク電圧は、スマートデバイス１２内のメモリまたはホストマシン４０（図１Ａ）に保存される。保存されるデータは、測定の日時、測定装置（検出装置１３０）のＩＤ、３つの測定値および半田付け装置８０、８２のＩＤを含む。
【０１６２】
ブロック４４４でデータが保存された後、プログラムは次に再度測定ブロック４４６に進む。ユーザは次に別の測定を行うことを選択し、それに応じてプログラムはブロック４２８に戻るか、ユーザは別の測定をしないことを選択し、プログラムはアプリ終了ブロック４２５に進む。
【０１６３】
ブロック４０６のモード選択画面で、ユーザが「温度測定、半田こて管理、測定者管理」を選択すると、プログラムは温度測定、半田こて管理、測定者管理モードのブロック４５０に進む。次に、ブロック４５０で、「温度測定、半田こて管理、測定者管理」サブルーチンに入ると、プログラムは、半田こてのＱＲスキャン起動のブロック４５２に進む。この時点で、アプリはスマートデバイス１２にＱＲスキャンプログラムを開かせ、ユーザにスマートデバイス１２のカメラが半田こてのＱＲコードを識別するように促し、次に、ブロック４５４において、スキャンされたＱＲコードをプログラムで識別する。その後、プログラムはブロック４５６において、測定者のＱＲスキャンの開始に進む。ブロック４５８において、アプリはスマートデバイス１２にＱＲスキャンプログラムを再度開かせ、測定者のＱＲコードをスマートデバイス１２のカメラに識別させ、スキャンされたＱＲコードを識別する。ＱＲコードがスキャンされた後、プログラムは登録画面起動のブロック４６０に進み、そこでプログラムはスマートデバイス１２と検出装置１３０との間の通信リンクを確立する。この登録画面は、日時欄、測定装置ＩＤ欄、温度欄、こて先-アース間抵抗欄、リーク電圧欄、半田こてＩＤ欄および測定者欄を含む。日時欄に測定の日時が示され、測定装置ＩＤ欄にブロック４０５で得られた測定装置（検出装置１３０）のＩＤが示されている。温度欄、こて先-アース間抵抗欄およびリーク電圧欄は空欄である。半田こてＩＤ欄にブロック４５４で得られた半田付け装置８０、８２のＩＤが示されている。測定者欄にブロック４５８で得られた測定者のＩＤに含まれる測定者の氏名が示されている。
【０１６４】
次に、プログラムは、ブロック４６２において、検出装置１３０からこて先温度測定データを受信するステップに進み、スマートデバイス１２はこて先温度の測定値を受信する。次にプログラムはブロック４６４に進み、検出装置１３０から半田こてのリーク電圧の測定値を取得する。
【０１６５】
次に、プログラムはブロック４６６に進み、検出装置１３０からこて先-アース間抵抗の測定値を取得する。次に、プログラムはデータ表示ブロック４６８に進み、ここでプログラムはスマートデバイス１２にブロック４６２、４６４および４６６で得られた測定値（こて先温度の測定値、リーク電圧の測定値およびこて先-アース間抵抗の測定値）を表示させる。その後、決定ブロック４７０でユーザはデータを登録するように促される。プログラムは、３つの測定値が、ブロック４０３で設定した範囲内であるか否か判定する。測定値の少なくとも一つが設定範囲内にない場合、プログラムはブロック４６２に戻る。３つの測定値が設定範囲内にある場合、プログラムはブロック４７２でデータを保存し、ログファイルにデータを追加する。こて先温度、こて先-アース間抵抗、リーク電圧は、スマートデバイス１２内のメモリまたはホストマシン４０（図１Ａ）に保存される。保存されるデータは、測定の日時、測定装置（検出装置１３０）のＩＤ、３つの測定値、半田付け装置８０、８２のＩＤおよび測定者のＩＤを含む。
【０１６６】
データがブロック４７２で保存された後、プログラムは再測定決定ブロック４７４に進む。次に、ユーザは別の測定を行うことを選択し、それに応じてプログラムはブロック４５２に戻るか、別の測定を行わないことを選択してプログラムはアプリ終了ブロック４２５に進む。
【０１６７】
測定対象が図４Ａに示す半田付け装置８０、８２のこて先温度を例にして説明したが、図１Ａおよび図７Ａに示す半田付けシステム１０に備えらえる半田こて（ハンドル２４とカートリッジ２６）を測定対象にしてもよい。
【０１６８】
半田付け装置８０、８２のユーザが測定者である場合で説明したが、半田付け装置８０、８２のユーザと測定者とが異なる場合もある。この場合、ブロック４５６、４５８で測定者のＱＲコードのスキャンと識別を、スマートデバイス１２に実行させ、その後、ユーザのＱＲコードまたはこのユーザのワークステーションのＱＲコードのスキャンと識別を、スマートデバイス１２に実行させる。ユーザのＱＲコードまたはこのユーザのワークステーションのＱＲコードも上記保存されるデータに含まれる。
【０１６９】
アプリのプログラムの説明は、スマートデバイス１２と無線通信回路を有する半田付けシステム１０または半田除去システムとの間の制御アプリの機能、およびスマートデバイス１２上のアプリに制御されるスマートデバイス１２の機能の例示的な説明として提供される。本発明は、同じ結果を達成するための代替の論理ルーチン、ならびに追加の機能を可能にするための修正がなされてもよい。
【０１７０】
例えば、本発明は、上述したサブルーチンに対する改良されたプログラムおよび代替案を示している。例えば、上述のように、アプリは、モード選択画面（ブロック２０８）で、「温度」、「半田こて、温度」、および「半田こて、測定者、温度」のアイコンを表示するが、アプリは、上述のプログラムの強化として、例えば、「温度設定」、「ワークステーションの登録」、「半田付け装置の管理」、および「チュートリアル」という追加のアイコンをモード選択画面（ブロック２０８）に表示させるようにプログラムすることができる。
【０１７１】
強化プログラムでは、モード選択画面（ブロック２０８）で、ユーザがどのアイコンを選択するかによって、開始されるサブプログラムが決まる。
【０１７２】
ユーザがモード選択画面（ブロック２０８）で「温度設定」アイコンを選択すると、プログラムは「温度設定」サブルーチンに進む。ユーザがモード選択画面（ブロック２０８）で「ワークステーション登録」アイコンを選択すると、プログラムは「ワークステーション登録」サブルーチンに進む。ユーザがモード選択画面（ブロック２０８）で「半田付け装置管理」アイコンを選択すると、プログラムは「半田付け装置管理」サブルーチンに進む。ユーザがモード選択画面（ブロック２０８）で「チュートリアル」アイコンを選択すると、プログラムは「チュートリアル」サブルーチンに進む。
【０１７３】
ユーザが「温度設定」サブルーチンを選択すると、スマートデバイス１２は、制御ステーション２０、または制御ステーション２０がない場合は半田付け装置８０、８２に問い合わせて、カートリッジ２６およびカートリッジ２６の設定温度を識別する。次いで、スマートデバイス１２は、温度計５０によって提供された実際の温度データを取得して、実際の温度を、設定温度および一体型ヒータ／センサ３６で測定されたこて先温度と比較することができる。調整が必要でない場合、ユーザは「ホーム」アイコンを起動してホーム画面ブロック２０１に戻ることができる。しかしながら、ユーザが新しい温度を設定することを決定した場合、スマートデバイス１２は「設定温度」アイコンを表示し、これが開始されるとプログラムは「温度選択」表示画面に進む。その時点で、ユーザはスマートデバイス１２のディスプレイ上で所望のこて先温度を選択または調整することができる。所望の温度を選択すると、スマートデバイス１２は温度変更信号を制御ステーション２０または半田付け装置８０、８２に送信する。制御ステーション２０または半田付け装置８０、８２から温度変更の確認を受信すると、スマートデバイス１２は新しい設定温度を表示する。次に、スマートデバイス１２は、実際の温度が所望の設定温度にほぼ等しいかどうかを判断するために温度計５０に再度問い合わせる。もしそうでなければ、プログラムは、「温度設定」アイコンを表示する上述のステップを繰り返し、ユーザは「温度選択」ルーチンに進むことができる。
【０１７４】
実際の温度が所望の設定温度にほぼ等しい場合、スマートデバイス１２は温度変更完了画面に進み、ユーザはホーム画面ブロック２０１に戻ることを選択することができる。
【０１７５】
あるいは、ユーザが「温度設定」サブルーチンプログラムをステップ２０３で選択すると、スマートデバイス１２は、制御ステーション２０、または制御ステーション２０がない場合は半田付け装置８０、８２に問い合わせてカートリッジ２６を識別し、次いでユーザは所望のこて先温度を選択することができる。所望の温度を選択すると、スマートデバイス１２は温度変更信号を制御ステーション２０に送るか、または直接、半田付け装置８０、８２に送る。
【０１７６】
ホーム画面ブロック２０１において、ユーザが「ワークステーション登録」サブルーチンを選択すると、スマートデバイス１２は制御ステーション２０または半田付け装置８０、８２を照会して制御ステーション２０または半田付け装置８０、８２を識別し、識別情報をスマートデバイス１２に表示し、「ワークステーション登録」をユーザに表示する。次に、アプリは、スマートデバイス１２に「ＱＲコードの読み取り」を表示させ、スマートデバイス１２のＱＲコードリーダープログラムとスマートデバイス１２のカメラにアクセスして、ユーザにＱＲコードを読み取るように促す表示を開始する。次に、ユーザは、カメラを読み取られるＱＲコードに位置合わせし、それぞれ固有のＱＲコードを有するカートリッジ２６、ワークステーションまたはユーザ／オペレータに対応するアイコンを選択する。次いで、スマートデバイス１２は、すべてのＱＲコードデータをユーザに表示し、ユーザは、「保存」アイコンまたは「クリア」アイコンのいずれかを選択して、スマートデバイス１２に制御ステーション２０、カートリッジ２６、ワークステーション、オペレータに関する情報を格納させるか、または情報を消去してホーム画面ブロック２０１に戻る。
【０１７７】
ホーム画面ブロック２０１において、ユーザが「半田付け装置管理」サブルーチンを選択すると、スマートデバイスアプリは「半田付け装置管理」サブルーチンを起動する。プログラムサブルーチンは、スマートデバイス１２にデータ取得および保存プロセスを開始させる。次いで、スマートデバイス１２は、スマートデバイス１２によって照会され得る無線接続範囲内の半田付け装置８０、８２または半田付けシステム１０の識別番号を表示する。
【０１７８】
次いで、ユーザは、識別された装置から制御されるべき特定の装置を選択し、そしてプログラムは「データ記録」表示に移動する。スマートデバイス１２は、選択された制御ステーション２０または半田付け装置８０、８２に、制御ステーション２０、もしくは特定の半田付け装置８０，８２に関連づいたメモリ内に保存されている指定されたデータ、たとえばカートリッジＩＤ、カートリッジタイプ、設定温度、半田付けサイクル時間、半田付けイベントの数、および格納され得る他のタイプのデータをアップロードするように指示する。データがスマートデバイス１２にアップロードされると、アプリは「保存」、「アップロード」、「クリア」機能のそれぞれについてアイコンを表示させる。「保存」アイコンは、データをスマートデバイス１２に保存させる。「アップロード」アイコンは、データをホストマシン４０（図１Ａ）にアップロードさせる。「クリア」アイコンは、データをクリアし、プログラムをホームス画面ブロック２０１に戻す。
【０１７９】
ホーム画面ブロック２０１において、ユーザが「チュートリアル」サブルーチンを選択すると、スマートデバイスアプリは、スマートデバイス１２に制御ステーション２０を識別するために制御ステーション２０に問い合わせさせるか、または特定の半田づけデバイスを識別するために半田付け装置８０、８２を問い合わせることから始まる「チュートリアル」サブルーチンを起動する。そして設定温度と同様に通電されているカートリッジ２６のタイプを識別することで、ユーザに適切な半田付け技術、特定のカートリッジ２６の温度を教えるため、プログラムが特定のタイプの半田付けシステム１０または半田付け装置８０、８２に関する情報オプションをユーザに提供する「チュートリアル」画面を表示できるようする。例えば、アイコンは「教育用ビデオ」、「こて先形状用途」、「半田付け写真」、「操作設定」、および「作業履歴」であり得る。ユーザがチュートリアルアイコンのうちの１つを選択すると、アプリは、スマートデバイス１２に、メモリ、インターネットまたはイントラネットシステムのいずれかから、データ、画像またはビデオを引き出させ、スマートデバイス１２に表示させる。
【０１８０】
本発明を図面に関連して上記で詳細に説明したが、システムは他の構成要素を含み、他の機能を可能にすることができることを理解されたい。当業者であれば、前述の開示は例示および明細書であることを意味し、図面は本発明を説明するために提供されるものであり、本発明を実施する潜在的な様式を限定することを意図するものではない。本発明の範囲は、添付の特許請求の範囲およびその均等物によってのみ定義される。
【０１８１】
本出願の基礎となる米国特許出願（１６／１７４，４１４）において、発明の名称は、半田付け装置の制御方法および装置とされている。
【０１８２】
その米国特許出願において、アブストラクトとして、以下の記載がされている。半田付けシステム制御方法および装置に基づくスマートフォン、タブレットまたはモバイルコンピュータは、ユーザまたはユーザの監督者が半田付け装置または測定装置の動作パラメータを監視および制御することを可能にする。制御方法および装置は、カートリッジ管理、温度較正および制御、ユーザパフォーマンスならびに無線双方向制御のための特徴を有する。制御方法は、電源に直接接続された半田付け装置、およびオプションの半田付け装置に電力を供給するための制御ステーションを含む半田付けシステムの半田付け装置を双方向性制御することができる。
【０１８３】
その米国特許出願において、発明の概要として、以下の記載がされている。本発明は、スマートフォン、タブレットまたはポータブルコンピューティングデバイス（本明細書ではこれらをまとめてスマートデバイス）を使用して、半田付け装置または半田付けシステムの動作をユーザおよび監督者が監視および制御することを可能にする方法および装置に関する。スマートデバイスは、アプリケーション（またはアプリ）でプログラムされており、無線通信技術およびスキャナを含むか、または、拡張されている。無線通信技術は、ブルートゥース、赤外線、または無線周波数通信技術を含み得る。スマートデバイスは、無線通信技術を使用して、半田付け装置または半田付けシステム制御ステーション、ハンドルおよび複数の交換可能なカートリッジを含むことができる加熱工具、センサ装置（例えば温度センサ）、および、イントラネットまたはインターネットを介してホストまたはサーバと通信する。スマートデバイスは、制御ステーションと双方向的であり、ユーザまたは監督者が半田付け加熱工具の動作パラメータを監視および制御し、カートリッジ管理、温度校正および制御、ユーザパフォーマンスならびに無線相互制御を提供することを可能にする。
【０１８４】
米国特許出願のクレームには、以下の記載がされている。
【０１８５】
（１）スマートデバイスで実行され、半田付け工具を無線で制御するアプリケーション制御プログラムであって、
前記スマートデバイスにホーム画面を表示させ、ユーザにリモートで監視または制御される前記半田付け工具を選択させるステップ、
前記スマートデバイスに前記半田付け工具との無線通信リンクを確立させるステップ、
前記スマートデバイスに前記半田付け工具の動作パラメータを表示させるステップ、および
記録、修正または消去される、前記半田付け工具の動作パラメータを選択するように前記スマートデバイスが前記ユーザに促すステップを含む。
【０１８６】
（２）上記（１）に記載のアプリケーション制御プログラムであって、
ユーザにリモートで監視または制御される前記半田付け工具を選択させるステップは、さらに、
前記スマートデバイスのカメラ機能を使用して、前記半田付け工具の識別コードをスキャンするように前記ユーザに促し、前記識別コードに関連する前記半田付け工具のタイプおよびその制御を機能的に識別するステップを含む。
【０１８７】
（３）上記（１）に記載のアプリケーション制御プログラムであって、
前記スマートデバイスに前記半田付け工具との無線通信リンクを確立させるステップは、さらに、
前記半田付け工具の半田付けこて先の温度測定値を得るために、温度計への無線通信リンクを確立するステップを含む。
【０１８８】
（４）上記（１）に記載のアプリケーション制御プログラムであって、
前記スマートデバイスに前記半田付け工具の動作パラメータを表示させるステップは、さらに、
前記スマートデバイスに、「温度」、「半田こて、温度」および「半田こて、測定者、温度」のサブルーチンに関連するアイコンを表示させ、選択されたサブルーチンを起動するように前記ユーザに促すステップを含む。
【０１８９】
（５）上記（１）に記載のアプリケーション制御プログラムであって、
記録、修正または消去される、前記半田付け工具の動作パラメータを選択するように前記スマートデバイスが前記ユーザに促すステップは、さらに
前記スマートデバイスに「温度」、「半田こて、温度」、「半田こて、測定者、温度」のアイコンを表示させ、温度測定サブルーチンの開始、温度測定と半田こて管理のサブルーチンの開始、または、温度測定と半田こて管理と測定者管理のサブルーチンの開始を選ぶよう前記ユーザに促すステップ、
前記ユーザが前記温度サブルーチンを選択すると、前記プログラムは、前記スマートデバイスに温度測定モードを開始させ、前記半田付け工具のこて先温度を取得させ、前記こて先温度を前記ユーザに表示し、前記こて先温度測定値を記録または消去するように前記ユーザに促すステップ、
前記ユーザが前記半田こて、温度サブルーチンを選択すると、前記プログラムは、前記半田付け工具のこて先温度を取得するために前記スマートデバイスに温度測定モードを開始させ、前記半田付け工具に関連付けられた識別コードをスキャンするように前記ユーザに促し、前記識別された半田付け工具に関連する前記こて先温度測定値を記録または消去するように前記ユーザに促すステップ、
前記ユーザが前記半田こて、測定者、温度サブルーチンを選択すると、前記プログラムは、前記半田付け工具のこて先温度を取得するために前記スマートデバイスに温度測定モードを開始させ、前記半田付け工具に関連付けられた識別コードをスキャンするように前記ユーザに促し、前記ユーザまたは前記ユーザのワークステーションに関連する識別コードをスキャンするように前記ユーザに促し、前記識別された半田こて、ユーザまたはワークステーションと関連付けされた前記こて先温度測定値を記録または消去するように前記ユーザに促すステップを含む。
【０１９０】
（６）上記（１）に記載のアプリケーション制御プログラムであって、
前記スマートデバイスにおいて、記録、修正または消去される前記半田付け工具の前記動作パラメータを選択させるように前記ユーザに促すステップは、さらに
前記スマートデバイスに「温度設定」、「ワークステーションの登録」、「半田付け装置の管理」、および「チュートリアル」のアイコンを表示させ、前記アイコンで識別されるサブルーチンを選択するように前記ユーザに促すステップ、
前記ユーザが「温度設定」サブルーチンを選択すると、前記スマートデバイスは、制御ステーションまたは半田付け装置に問い合わせてカートリッジおよびカートリッジの設定温度を識別し、前記プログラムは、実際の温度を設定温度およびカートリッジこて先センサが測定したこて先温度と比較するために、前記スマートデバイスに温度計によって提供される実際の温度データを取得させ、前記プログラムは、前記スマートデバイスを使って、新しい温度を設定して前記カートリッジに供給される電力を制御することを可能にするステップ、
前記ユーザが「ワークステーション登録」サブルーチンを選択すると、前記スマートデバイスは、制御ステーションまたは半田付け装置に問い合わせて制御ステーションまたは半田付け装置を識別し、前記スマートデバイスのディスプレイに識別情報を表示させ、制御ステーション、カートリッジ、ワークステーションおよびオペレータに関する情報を格納またはクリアするために、ワークステーションを登録するように前記ユーザに促すステップ、または
前記ユーザが「半田付け装置の管理」サブルーチンを選択すると、前記スマートデバイスは、データ取得および保持プロセスに入り、そこで前記スマートデバイスは、前記スマートデバイスによる無線接続範囲内の半田付け装置または半田付けシステムの識別番号を表示し、識別された装置から制御されるべき特定の装置を選択することを前記ユーザに促し、特定の装置の制御を開始するステップを含む。
【０１９１】
（７）上記（１）に記載のアプリケーション制御プログラムであって、
前記スマートデバイスにホーム画面を表示させ、ユーザにリモートで監視または制御される半田付け工具を選択させるステップは、さらに
リモートに監視または制御される前記半田付け工具と関連付けされている安全装置を選択するように前記ユーザに促すステップ、
前記スマートデバイスに前記安全装置との無線通信リンクを確立させるステップ、
前記スマートデバイスに前記安全装置の動作パラメータを表示させるステップ、および
前記スマートデバイスは、記録、修正または消去される、前記安全装置の動作パラメータを選択させるように前記ユーザに促すステップを含む。
【０１９２】
（８）上記（７）に記載のアプリケーション制御プログラムであって、
前記安全装置は、リストストラップ、リーク電圧検出器またはこて先-アース間抵抗測定装置である。
【０１９３】
（９）上記（１）に記載のアプリケーション制御プログラムであって、
記録、修正または消去される、前記半田付け工具の動作パラメータを選択するように前記スマートデバイスが前記ユーザに促すステップは、さらに
前記スマートデバイスに「温度」のアイコンを表示させ、そして、温度測定サブルーチンを開始するためにサブルーチンを選択するようにユーザに促すステップ、および
前記ユーザが前記温度サブルーチンを選択すると、前記プログラムは前記スマートデバイスに温度測定モードを開始させ、前記半田付け工具のこて先温度を取得させ、前記ユーザに前記こて先温度を表示し、そして、前記こて先温度測定値を記録または消去するように前記ユーザに促すステップを含む。
【０１９４】
（１０）上記（１）に記載のアプリケーション制御プログラムであって、
記録、修正または消去される、前記半田付け工具の動作パラメータを選択するように前記スマートデバイスが前記ユーザに促すステップは、さらに
前記スマートデバイスに「半田こて、温度」のアイコンを表示させ、そして、温度測定、半田こて管理のサブルーチンを開始させるサブルーチンを選択するように前記ユーザに促すステップ、および
前記ユーザが前記半田こて、温度サブルーチンを選択すると、前記プログラムは前記スマートデバイスに温度測定モードを開始させ、前記半田付け工具のこて先温度を取得させ、前記半田付け工具に関連する識別コードをスキャンするように前記ユーザに促し、前記識別された半田付け工具に関連する前記こて先温度測定値を記録または消去するように前記ユーザに促すステップを含む。
【０１９５】
（１１）上記（１）に記載のアプリケーション制御プログラムであって、
記録、修正または消去される、前記半田付け工具の動作パラメータを選択するように前記スマートデバイスが前記ユーザに促すステップは、さらに
前記スマートデバイスに「半田こて、測定者、温度」のアイコンを表示させ、そして、温度測定、半田こて管理、測定者管理のサブルーチンを開始させるサブルーチンを選択するように前記ユーザに促すステップ、および
前記ユーザが前記半田こて、測定者、温度サブルーチンを選択すると、前記プログラムは前記スマートデバイスに温度測定モードを開始させ、前記半田付け工具のこて先温度を取得させ、前記半田付け工具に関連する識別コードをスキャンするように前記ユーザに促し、前記ユーザまたは前記ユーザのワークステーションに関連する識別コードをスキャンするように前記ユーザに促し、前記識別された半田付け工具およびユーザまたはワークステーションに関連する前記こて先温度測定値を記録または消去するように前記ユーザに促すステップを含む。
【０１９６】
（１２）スマートデバイスで実行され、半田付け工具を無線で制御するアプリケーション制御プログラムであって、
前記スマートデバイスに、リモートで監視または制御される前記半田付け工具を選択するように前記ユーザに促し、そして、リモートで監視または制御される前記半田付け工具に関連する安全装置を選択するように前記ユーザに促すホーム画面を表示させるステップ、
前記スマートデバイスに前記安全デバイスとの無線通信リンクを確立させるステップ、
前記スマートデバイスに前記安全デバイスの動作パラメータを表示させるステップ、および
記録、修正または消去される、前記安全デバイスの動作パラメータを選択するように前記スマートデバイスが前記ユーザに促すステップを含む。
【０１９７】
（１３）半田付け装置のための電源と無線通信するスマートデバイスを使用して前記半田付け装置を制御する方法であって、
前記スマートデバイスに半田付け装置制御ソフトウェアプログラムアプリケーション（Ａｐｐ）をロードし、前記スマートデバイスはディスプレイ、カメラ、無線接続機能および前記スマートデバイスが識別コードを識別および読み取ることを可能にするアプリケーションを含むオペレーティングシステムを含み、
前記スマートデバイスの前記ディスプレイにアイコンを生成して、ユーザが前記アプリケーションの動作を開始して前記半田付け装置を制御することを可能にし、
前記スマートデバイスを使用して、前記半田付け装置に関連する識別コードを読み取り、前記半田付け装置の半田付けこて先温度を測定する温度計の識別コードを読み取り、
前記スマートデバイスと前記温度計および前記半田付け装置との間の無線通信を確立し、
前記スマートデバイスに、前記半田付け装置および前記温度計から温度情報を取得させ、そして
前記スマートデバイスに、前記スマートデバイスの前記ディスプレイに一連の情報を表示させて、前記ユーザに温度情報を記録させるか、または、前記半田付け装置の温度設定を変更するように促す。
【０１９８】
（１４）上記（１３）に記載のスマートデバイスを用いた半田付け装置の制御方法であって、
前記半田付け装置の温度を上昇または下降させるように電力供給を変更させるために、前記スマートデバイスが前記半田付け装置に指示する。
【０１９９】
（１５）上記（１３）に記載のスマートデバイスを用いた半田付け装置の制御方法であって、
前記半田付け装置に取り付けられたカートリッジの動作特性を識別するように前記半田付け装置を促す。
【０２００】
（１６）ＡＣ給電半田付け装置であって、
ＡＣ電源コードに接続されたグリップハンドルを備え、前記グリップハンドルは交換可能な半田付けカートリッジで動作可能であり、
前記グリップハンドルは、さらに
ヒータ回路、こて先温度回路、ＡＣ-ＤＣ電力インバータ回路、表示回路および無線通信回路に接続され、これらを制御するＣＰＵ（Ｃｅｎｔｒａｌ  Ｐｒｏｃｅｓｓｉｎｇ  Ｕｎｉｔ）を備える。
【０２０１】
（１７）上記（１６）に記載のＡＣ給電半田付け装置であって、
前記ヒータ回路は、前記ＣＰＵによって制御されて前記カートリッジに電力を供給し、前記センサ回路は、前記カートリッジの特性を監視して、前記半田付け装置の動作中にこて先温度を決定し、前記ＡＣ-ＤＣ電力インバータ回路は、整流された直流電力を前記ＣＰＵに供給するためにＡＣ電源にタップし、前記表示回路は、前記ＣＰＵによって制御されて、前記半田付け装置の動作データを表示し、前記ＣＰＵに接続された前記無線通信回路は、ブルートゥース、赤外線または無線周波数通信回路を用いて、制御装置への無線接続を可能にする。
【０２０２】
（１８）上記（１６）に記載のＡＣ給電半田付け装置であって、
前記無線通信回路により、前記ＣＰＵは、プログラムされたスマートデバイスに接続し、半田付けプロセスで使用される前記カートリッジの前記温度設定および電力レベル要件に関する更新命令を取得することを可能にする。
【０２０３】
（１９）半田付けシステムの測定装置への無線通信リンクを確立するためにスマートデバイスで実行されるアプリケーション制御プログラムであって、
前記プログラムは、
前記スマートデバイスに前記測定装置の動作パラメータを表示させるステップ、および、
記録、修正または消去される、前記測定装置の動作パラメータを選択するように前記スマートデバイスがユーザに促すステップを含む。
【０２０４】
（２０）上記（１９）に記載のアプリケーション制御プログラムであって、
前記測定装置への無線通信リンクを確立するための前記スマートデバイスにおいて、前記スマートデバイスのカメラ機能を使用して前記測定装置の識別コードをスキャンするように前記ユーザに促し、前記測定装置を識別するステップをさらに含む。
【０２０５】
（２１）上記（１９）に記載のアプリケーション制御プログラムであって、
前記測定装置は、半田こてのこて先の温度測定値を取得する温度計であり、
前記スマートデバイスに前記温度計の動作パラメータを表示させるステップは、さらに
前記スマートデバイスに「温度」、「半田こて、温度」および「半田こて、測定者、温度」サブルーチンに関連するアイコンを表示させ、選択されたサブルーチンを起動するように前記ユーザに促すステップを含む。
【０２０６】
（２２）上記（２１）に記載のアプリケーション制御プログラムであって、
記録、修正または消去される、前記半田付け工具の動作パラメータを選択するように前記スマートデバイスが前記ユーザに促すステップは、さらに
前記スマートデバイスに「温度」のアイコンを表示させ、前記ユーザに温度測定サブルーチンを開始させる前記サブルーチンを選択することを促すステップ、および
前記ユーザが前記温度サブルーチンを選択すると、前記プログラムは前記スマートデバイスに温度測定モードを開始させ、前記半田付け工具のこて先温度を取得させ、前記こて先温度を前記ユーザに表示させ、前記こて先温度測定値を記録または消去するように前記ユーザに促すステップを含む。
【０２０７】
（２３）上記（２１）に記載のアプリケーション制御プログラムであって、
記録、修正または消去される、前記半田付け工具の動作パラメータを選択するように前記スマートデバイスが前記ユーザに促すステップは、さらに
前記スマートデバイスに「半田こて、温度」のアイコンを表示させ、温度測定、半田こて管理サブルーチンを開始させる前記サブルーチンを選択することを前記ユーザに促すステップ、
前記ユーザが前記半田こて、温度サブルーチンを選択すると、前記プログラムは前記スマートデバイスに温度測定モードを開始させて前記半田付け工具の前記こて先温度を取得させ、前記ユーザに前記半田付け工具に関連する識別コードをスキャンさせ、前記識別された半田付け工具に関連する前記こて先温度測定値を記録または消去することを前記ユーザに促すステップを含む。
を含む。
【０２０８】
（２４）上記（２１）に記載のアプリケーション制御プログラムであって、
記録、修正または消去される、前記半田付け工具の動作パラメータを選択するように前記スマートデバイスが前記ユーザに促すステップは、さらに
前記スマートデバイスに「半田こて、測定者、温度」のアイコンを表示させ、温度測定、半田こて管理、測定者管理サブルーチンを開始させるために識別された前記サブルーチンを選択することを前記ユーザに促すステップ、
前記ユーザが前記半田こて、測定者、温度サブルーチンを選択すると、前記プログラムは前記スマートデバイスに温度測定モードを開始させて前記半田付け工具の前記こて先温度を取得させ、前記ユーザに前記半田付け工具に関連する識別コードをスキャンすることを促し、前記ユーザまたはユーザのワークステーションに関連する識別コードをスキャンすることを前記ユーザに促し、前記識別された半田付け工具およびユーザまたはワークステーションに関連する前記こて先温度測定値を記録または消去するように前記ユーザに促すステップを含む。
【０２０９】
（２５）上記（２１）に記載のアプリケーション制御プログラムであって、
前記プログラムは、さらに
ユーザによるこて先温度の範囲の設定を受け付けるステップ、および
前記スマートデバイスに、前記半田付け工具の前記こて先温度が、前記ユーザが設定した前記範囲内であるかどうかを判断させるステップを含む。
【符号の説明】
【０２１０】
１０  半田付けシステム
１２  スマートデバイス
２０  制御ステーション
２４  ハンドル
２６  カートリッジ
３６  一体型ヒータ／センサ
３８  こて先
４０  ホストマシン
５０  温度計
８０、８２  半田付け装置
８４  ハンドル
９５  無線通信回路
１２２  リストストラップ
１３２  リストストラップテスタ
１３０  検出装置
【図１Ａ】
2020069535.tif 000003
【図１Ｂ】
2020069535.tif 000004
【図２】
2020069535.tif 000005
【図３】
2020069535.tif 000006
【図４Ａ】
2020069535.tif 000007
【図４Ｂ】
2020069535.tif 000008
【図４Ｃ】
2020069535.tif 000009
【図５】
2020069535.tif 000010
【図６】
2020069535.tif 000011
【図７Ａ】
2020069535.tif 000012
【図７Ｂ】
2020069535.tif 000013
【図７Ｃ】
2020069535.tif 000014
【図８】
2020069535.tif 000015
【図９】
2020069535.tif 000016